(57)【要約】【課題】ＰＤＣＣＨおよびｅＰＤＣＣＨを用いて通信する端末装置と基地局装置のそれぞれが、ＰＤＳＣＨで送信されたトランスポートブロックに対するＨＡＲＱ−ＡＣＫを、ＰＵＣＣＨを用いて効率的に送信および受信すること。【解決手段】端末装置は、下りリンク制御情報をＰＤＣＣＨで検出した場合、仮想セルアイデンティティの値が設定されているか否かに応じて第１の値と第２の値のいずれかを選択し、そして、少なくとも当該選択した値に基づいてＰＵＣＣＨリソースを決定し、下りリンク制御情報をｅＰＤＣＣＨで検出した場合、仮想セルアイデンティティの値が設定されているか否かにかかわらず、少なくとも前記第３の値に基づいてＰＵＣＣＨリソースを決定し、トランスポートブロックに対するＨＡＲＱ−ＡＣＫを当該決定したＰＵＣＣＨリソースで送信する。【選択図】図１８
2014064088.tif 000002
【特許請求の範囲】
【請求項１】
基地局装置と通信する端末装置であって、
前記基地局装置から受信したシグナリングに基づいて、仮想セルアイデンティティの値、第１の値、第２の値、および第３の値を設定する設定部と、
ＰＤＣＣＨまたはｅＰＤＣＣＨで、ＰＤＳＣＨのスケジューリングに用いられる下りリンク制御情報を検出する検出部と、
前記ＰＤＳＣＨでトランスポートブロックを受信する受信部と、
ＰＵＣＣＨリソースを決定する決定部と、
前記トランスポートブロックに対するＨＡＲＱ−ＡＣＫを前記ＰＵＣＣＨリソースで送信する送信部と、を備え、
前記決定部は、
前記検出部が前記下りリンク制御情報を前記ＰＤＣＣＨで検出した場合、前記仮想セルアイデンティティの値が前記設定部によって設定されているか否かに応じて前記第１の値と前記第２の値のいずれかを選択し、そして、少なくとも当該選択した値に基づいて前記ＰＵＣＣＨリソースを決定し、
前記検出部が前記下りリンク制御情報を前記ｅＰＤＣＣＨで検出した場合、前記仮想セルアイデンティティの値が前記設定部によって設定されているか否かにかかわらず、少なくとも前記第３の値に基づいて前記ＰＵＣＣＨリソースを決定する
ことを特徴とする端末装置。
【請求項２】
基地局装置と通信する端末装置であって、
前記基地局装置から通知されるシグナリングに基づいて、仮想セルアイデンティティの値、第１の値、第２の値、および第３の値を設定する設定部と、
ＰＤＣＣＨまたはｅＰＤＣＣＨでＰＤＳＣＨのスケジューリングに用いられる下りリンク制御情報を検出する検出部と、
前記ＰＤＳＣＨでトランスポートブロックを受信する受信部と、
ＰＵＣＣＨリソースを決定する決定部と、
前記トランスポートブロックに対するＨＡＲＱ−ＡＣＫを前記ＰＵＣＣＨリソースで送信する送信部と、を備え、
前記決定部は、
前記検出部が前記下りリンク制御情報を前記ＰＤＣＣＨで検出した場合、前記仮想セルアイデンティティの値が前記設定部によって設定されているか否かに応じて、前記第１の値と前記第２の値のいずれかを選択し、そして、少なくとも当該選択した値に基づいて前記ＰＵＣＣＨリソースを決定し、
前記検出部が前記下りリンク制御情報を前記ｅＰＤＣＣＨで検出した場合、前記仮想セルアイデンティティの値が前記設定部によって設定されているか否かに応じて、前記第１の値と前記第２の値のいずれかを選択し、そして、少なくとも当該選択した値と前記第３の値とに基づいて前記ＰＵＣＣＨリソースを決定する
ことを特徴とする端末装置。
【請求項３】
前記仮想セルアイデンティティの値を受信している場合は、前記仮想セルアイデンティティの値に基づいて、前記ＰＵＣＣＨと時間多重される参照信号を生成する生成部を、更に備え、
前記送信部は、前記参照信号を送信する、
請求項１または２に記載の端末装置。
【請求項４】
前記生成部は、前記仮想セルアイデンティティの値を受信していない場合は、物理レイヤセルアイデンティティに基づいて、前記参照信号を生成する、
請求項３に記載の端末装置。
【請求項５】
単一のサブフレームにおいて、前記ｅＰＤＣＣＨは前記ＰＤＳＣＨと周波数多重され、そして、前記ＰＤＣＣＨは、前記ｅＰＤＣＣＨおよび前記ＰＤＳＣＨと時間多重される、
請求項１から４の何れかに記載の端末装置。
【請求項６】
前記第１の値は、複数の前記端末装置に対して共通である、
請求項１から５の何れかに記載の端末装置。
【請求項７】
前記第２の値は、前記端末装置に対して専用である、
請求項１から６の何れかに記載の端末装置。
【請求項８】
端末装置と通信する基地局装置であって、
仮想セルアイデンティティの値、第１の値、第２の値、および第３の値を示す情報を送信し、ＰＤＣＣＨまたはｅＰＤＣＣＨで、ＰＤＳＣＨのスケジューリングに用いられる下りリンク制御情報を送信し、そして、前記ＰＤＳＣＨでトランスポートブロックを送信する送信部と、
ＰＵＣＣＨリソースを決定する決定部と、
前記トランスポートブロックに対するＨＡＲＱ−ＡＣＫを前記ＰＵＣＣＨリソースで受信する受信部と、を備え、
前記決定部は、
前記送信部が前記下りリンク制御情報を前記ＰＤＣＣＨで送信した場合、前記送信部が前記仮想セルアイデンティティの値を示す情報を送信しているか否かに応じて前記第１の値と前記第２の値のいずれかを選択し、そして、少なくとも当該選択した値に基づいて前記ＰＵＣＣＨリソースを決定し、
前記送信部が前記下りリンク制御情報を前記ｅＰＤＣＣＨで送信した場合、前記送信部が前記仮想セルアイデンティティの値を示す情報を送信しているか否かにかかわらず、少なくとも前記第３の値に基づいて前記ＰＵＣＣＨリソースを決定する
ことを特徴とする基地局装置。
【請求項９】
端末装置と通信する基地局装置であって、
仮想セルアイデンティティの値、第１の値、第２の値、および第３の値を示す情報を送信し、ＰＤＣＣＨまたはｅＰＤＣＣＨで、ＰＤＳＣＨのスケジューリングに用いられる下りリンク制御情報を送信し、そして、前記ＰＤＳＣＨでトランスポートブロックを送信する送信部と、
ＰＵＣＣＨリソースを決定する決定部と、
前記トランスポートブロックに対するＨＡＲＱ−ＡＣＫを前記ＰＵＣＣＨリソースで受信する受信部と、を備え、
前記決定部は、
前記送信部が前記下りリンク制御情報を前記ＰＤＣＣＨで送信した場合、前記送信部が前記仮想セルアイデンティティの値を示す情報を送信しているか否かに応じて前記第１の値と前記第２の値のいずれかを選択し、そして、少なくとも当該選択した値に基づいて前記ＰＵＣＣＨリソースを決定し、
前記送信部が前記下りリンク制御情報を前記ｅＰＤＣＣＨで送信した場合、前記送信部が前記仮想セルアイデンティティの値を示す情報を送信しているか否かに応じて、前記第１の値と前記第２の値のいずれかを選択し、そして、少なくとも当該選択した値と前記第３の値とに基づいて前記ＰＵＣＣＨリソースを決定する
ことを特徴とする基地局装置。
【請求項１０】
前記受信部は、前記送信部が前記仮想セルアイデンティティの値を送信している場合は、前記端末装置が前記仮想セルアイデンティティの値に基づいて生成する参照信号を前記端末装置から受信し、そして、前記参照信号に基づいて前記ＰＵＣＣＨの復調処理を行う、
請求項８または9に記載の基地局装置。
【請求項１１】
前記受信部は、前記送信部が前記仮想セルアイデンティティの値を送信していない場合は、前記端末装置が物理レイヤセルアイデンティティの値に基づいて生成する前記参照信号を前記端末装置から受信し、前記参照信号に基づいて前記ＰＵＣＣＨの復調処理を行う、
請求項１０に記載の基地局装置。
【請求項１２】
単一のサブフレームにおいて、前記ｅＰＤＣＣＨは前記ＰＤＳＣＨと周波数多重され、そして、前記ＰＤＣＣＨは、前記ｅＰＤＣＣＨおよび前記ＰＤＳＣＨと時間多重される、
請求項８から１１の何れかに記載の基地局装置。
【請求項１３】
前記第１の値は、複数の前記端末装置に対して共通である、
請求項８から１２の何れかに記載の基地局装置。
【請求項１４】
前記第２の値は、前記端末装置に対して専用である、
請求項８から１３の何れかに記載の基地局装置。
【請求項１５】
基地局装置と通信する端末装置に用いられる無線通信方法であって、
前記基地局装置から受信したシグナリングに基づいて、第１の値、第２の値、および第３の値を設定し、
ＰＤＣＣＨまたはｅＰＤＣＣＨで、ＰＤＳＣＨのスケジューリングに用いられる下りリンク制御情報を検出し、
前記ＰＤＳＣＨでトランスポートブロックを受信し、
前記下りリンク制御情報を前記ＰＤＣＣＨで検出した場合、仮想セルアイデンティティの値を設定しているか否かに応じて前記第１の値と前記第２の値のいずれかを選択し、そして、少なくとも当該選択した値に基づいてＰＵＣＣＨリソースを決定し、
前記下りリンク制御情報を前記ｅＰＤＣＣＨで検出した場合、前記仮想セルアイデンティティの値を設定しているか否かにかかわらず、少なくとも前記第３の値に基づいて前記ＰＵＣＣＨリソースを決定し、
前記トランスポートブロックに対するＨＡＲＱ−ＡＣＫを前記ＰＵＣＣＨリソースで送信する
ことを特徴とする無線通信方法。
【請求項１６】
基地局装置と通信する端末装置に用いられる無線通信方法であって、
前記基地局装置から通知されるシグナリングに基づいて、第１の値、第２の値、および第３の値を設定し、
ＰＤＣＣＨまたはｅＰＤＣＣＨでＰＤＳＣＨのスケジューリングに用いられる下りリンク制御情報を検出し、
前記ＰＤＳＣＨでトランスポートブロックを受信し、
前記下りリンク制御情報を前記ＰＤＣＣＨで検出した場合、仮想セルアイデンティティの値を設定しているか否かに応じて前記第１の値と前記第２の値のいずれかを選択し、そして、少なくとも当該選択した値に基づいてＰＵＣＣＨリソースを決定し、
前記下りリンク制御情報を前記ｅＰＤＣＣＨで検出した場合、前記仮想セルアイデンティティの値を設定しているか否かに応じて、前記第１の値と前記第２の値のいずれかを選択し、そして、少なくとも当該選択した値と前記第３の値とに基づいて前記ＰＵＣＣＨリソースを決定し、
前記トランスポートブロックに対するＨＡＲＱ−ＡＣＫを前記ＰＵＣＣＨリソースで送信する
ことを特徴とする無線通信方法。
【請求項１７】
端末装置と通信する基地局装置に用いられる無線通信方法であって、
第１の値、第２の値、および第３の値を示す情報を送信し、
ＰＤＣＣＨまたはｅＰＤＣＣＨで、ＰＤＳＣＨのスケジューリングに用いられる下りリンク制御情報を送信し、
前記ＰＤＳＣＨでトランスポートブロックを送信し、
前記下りリンク制御情報を前記ＰＤＣＣＨで送信した場合、仮想セルアイデンティティの値を示す情報を送信しているか否かに応じて前記第１の値と前記第２の値のいずれかを選択し、そして、少なくとも当該選択した値に基づいてＰＵＣＣＨリソースを決定し、
前記下りリンク制御情報を前記ｅＰＤＣＣＨで送信した場合、前記仮想セルアイデンティティの値を示す情報を送信しているか否かにかかわらず、少なくとも前記第３の値に基づいて前記ＰＵＣＣＨリソースを決定し、
前記トランスポートブロックに対するＨＡＲＱ−ＡＣＫを前記ＰＵＣＣＨリソースで受信する
ことを特徴とする無線通信方法。
【請求項１８】
端末装置と通信する基地局装置に用いられる無線通信方法であって、
第１の値、第２の値、および第３の値を示す情報を送信し、
ＰＤＣＣＨまたはｅＰＤＣＣＨで、ＰＤＳＣＨのスケジューリングに用いられる下りリンク制御情報を送信し、
前記ＰＤＳＣＨでトランスポートブロックを送信し、
前記下りリンク制御情報を前記ＰＤＣＣＨで送信した場合、仮想セルアイデンティティの値を示す情報を送信しているか否かに応じて前記第１の値と前記第２の値のいずれかを選択し、そして、少なくとも当該選択した値に基づいてＰＵＣＣＨリソースを決定し、
前記下りリンク制御情報を前記ｅＰＤＣＣＨで送信した場合、前記仮想セルアイデンティティの値を示す情報を送信しているか否かに応じて前記第１の値と前記第２の値のいずれかを選択し、そして、少なくとも当該選択した値と前記第３の値とに基づいて前記ＰＵＣＣＨリソースを決定し、
前記トランスポートブロックに対するＨＡＲＱ−ＡＣＫを前記ＰＵＣＣＨリソースで受信する
ことを特徴とする無線通信方法。
【請求項１９】
基地局装置と通信する端末装置に実装される集積回路であって、
前記基地局装置から受信したシグナリングに基づいて、第１の値、第２の値、および第３の値を設定する機能と、
ＰＤＣＣＨまたはｅＰＤＣＣＨで、ＰＤＳＣＨのスケジューリングに用いられる下りリンク制御情報を検出する機能と、
前記ＰＤＳＣＨでトランスポートブロックを受信する機能と、
前記下りリンク制御情報を前記ＰＤＣＣＨで検出した場合、仮想セルアイデンティティの値を設定しているか否かに応じて前記第１の値と前記第２の値のいずれかを選択し、そして、少なくとも当該選択した値に基づいてＰＵＣＣＨリソースを決定する機能と、
前記下りリンク制御情報を前記ｅＰＤＣＣＨで検出した場合、前記仮想セルアイデンティティの値を設定しているか否かにかかわらず、少なくとも前記第３の値に基づいて前記ＰＵＣＣＨリソースを決定する機能と、
前記トランスポートブロックに対するＨＡＲＱ−ＡＣＫを前記ＰＵＣＣＨリソースで送信する機能と、を前記端末装置に発揮させる
ことを特徴とする集積回路。
【請求項２０】
基地局装置と通信する端末装置に実装される集積回路であって、
前記基地局装置から通知されるシグナリングに基づいて、第１の値、第２の値、および第３の値を設定する機能と、
ＰＤＣＣＨまたはｅＰＤＣＣＨでＰＤＳＣＨのスケジューリングに用いられる下りリンク制御情報を検出する機能と、
前記ＰＤＳＣＨでトランスポートブロックを受信する機能と、
前記下りリンク制御情報を前記ＰＤＣＣＨで検出した場合、仮想セルアイデンティティの値を設定しているか否かに応じて前記第１の値と前記第２の値のいずれかを選択し、そして、少なくとも当該選択した値に基づいてＰＵＣＣＨリソースを決定する機能と、
前記下りリンク制御情報を前記ｅＰＤＣＣＨで検出した場合、前記仮想セルアイデンティティの値を設定しているか否かに応じて、前記第１の値と前記第２の値のいずれかを選択し、そして、少なくとも当該選択した値と前記第３の値とに基づいて前記ＰＵＣＣＨリソースを決定する機能と、
前記トランスポートブロックに対するＨＡＲＱ−ＡＣＫを前記ＰＵＣＣＨリソースで送信する機能と、を前記端末装置に発揮させる
ことを特徴とする集積回路。
【請求項２１】
端末装置と通信する基地局装置に実装される集積回路であって、
第１の値、第２の値、および第３の値を示す情報を送信する機能と、
ＰＤＣＣＨまたはｅＰＤＣＣＨで、ＰＤＳＣＨのスケジューリングに用いられる下りリンク制御情報を送信する機能と、
前記ＰＤＳＣＨでトランスポートブロックを送信する機能と、
前記下りリンク制御情報を前記ＰＤＣＣＨで送信した場合、仮想セルアイデンティティの値を示す情報を送信しているか否かに応じて前記第１の値と前記第２の値のいずれかを選択し、そして、少なくとも当該選択した値に基づいてＰＵＣＣＨリソースを決定する機能と、
前記下りリンク制御情報を前記ｅＰＤＣＣＨで送信した場合、前記仮想セルアイデンティティの値を示す情報を送信しているか否かにかかわらず、少なくとも前記第３の値に基づいて前記ＰＵＣＣＨリソースを決定する機能と、
前記トランスポートブロックに対するＨＡＲＱ−ＡＣＫを前記ＰＵＣＣＨリソースで受信する機能と、を前記基地局装置に発揮させる
ことを特徴とする集積回路。
【請求項２２】
端末装置と通信する基地局装置に実装される集積回路であって、
第１の値、第２の値、および第３の値を示す情報を送信する機能と、
ＰＤＣＣＨまたはｅＰＤＣＣＨで、ＰＤＳＣＨのスケジューリングに用いられる下りリンク制御情報を送信する機能と、
前記ＰＤＳＣＨでトランスポートブロックを送信する機能と、
前記下りリンク制御情報を前記ＰＤＣＣＨで送信した場合、仮想セルアイデンティティの値を示す情報を送信しているか否かに応じて前記第１の値と前記第２の値のいずれかを選択し、そして、少なくとも当該選択した値に基づいてＰＵＣＣＨリソースを決定する機能と、
前記下りリンク制御情報を前記ｅＰＤＣＣＨで送信した場合、前記仮想セルアイデンティティの値を示す情報を送信しているか否かに応じて前記第１の値と前記第２の値のいずれかを選択し、そして、少なくとも当該選択した値と前記第３の値とに基づいて前記ＰＵＣＣＨリソースを決定する機能と、
前記トランスポートブロックに対するＨＡＲＱ−ＡＣＫを前記ＰＵＣＣＨリソースで受信する機能と、を前記基地局装置に発揮させる
ことを特徴とする集積回路。
【発明の詳細な説明】
【技術分野】
【０００１】
本発明は、端末装置、基地局装置、無線通信方法、および集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置（端末装置）をＵＥ（User Equipment）と称する。ＬＴＥは、基地局装置がカバーするエリアをセル状に複数配置するセルラー通信システムである。単一の基地局装置は複数のセルを管理してもよい。単一の移動局装置は、単一または複数のセルで通信をする。セルをサービングセルとも称する。
【０００３】
ＬＴＥでは、上りリンクのデータに対するＨＡＲＱ（Hybrid Automatic Repeat reQuest）をサポートしている。ＬＴＥの移動局装置は、ＰＤＳＣＨ（Physical Downlink Shared Channel）で受信したトランスポートブロックの復号に成功した場合は、該トランスポートブロックに対するＡＣＫ（positive acknowledgement, acknowledgement）をＰＵＣＣＨで送信する。また、ＬＴＥの移動局装置は、ＰＤＳＣＨで受信したトランスポートブロックの復号に失敗した場合は、該トランスポートブロックに対するＮＡＣＫ（negative acknowledgement）をＰＵＣＣＨ（Physical Uplink Control Channel）で送信する。
【０００４】
ＬＴＥの基地局装置は、ＰＵＣＣＨで受信したＡＣＫまたはＮＡＣＫに基づき、該トランスポートブロックのスケジューリングを行なう。例えば、ＬＴＥの基地局装置は、ＮＡＣＫを受信した場合は、該トランスポートブロックを再送信する。ＡＣＫとＮＡＣＫとを総称して、ＨＡＲＱ−ＡＣＫと称する。
【０００５】
また、ＬＴＥの基地局装置は、ＰＤＳＣＨのスケジューリングに用いられる下りリンク制御情報を、ＰＤＣＣＨ（Physical Downlink Control Channel）で送信する。
【０００６】
ＬＴＥの移動局装置は、当該下りリンク制御情報を検出したＰＤＣＣＨリソースに基づいて、ＨＡＲＱ−ＡＣＫの送信に用いるＰＵＣＣＨリソースを決定する。これにより、ＬＴＥの基地局装置は、当該下りリンク制御情報の送信に用いるＰＤＣＣＨのリソースを調整することによって、ＰＵＣＣＨリソースの割り当てを動的に変更することができる。また、ＬＴＥの基地局装置は、複数の移動局装置が同じＰＵＣＣＨリソースでＨＡＲＱ−ＡＣＫを送信しないようにすることができる（非特許文献１、非特許文献２）。
【０００７】
３ＧＰＰでは、セルに収容する移動局装置の数を増加するために、ｅＰＤＣＣＨ（enhanced Physical Downlink Control Channel）を導入することが検討されている（非特許文献３）。ｅＰＤＣＣＨリソースは、従来のＰＤＣＣＨリソースとは異なる。つまり、ｅＰＤＣＣＨを導入することにより、下りリンク制御情報の送信に用いることができるリソースが拡張される。
【０００８】
また、３ＧＰＰでは、移動局装置が複数の基地局装置と効率的に通信するＣｏＭＰ（Coordinated Multi-Point transmission and reception）の導入が検討されている（非特許文献４）。例えば、ある基地局装置は、移動局装置が他の基地局装置から受信したトランスポートブロックに対するＨＡＲＱ−ＡＣＫを受信してもよい。
【先行技術文献】
【非特許文献】
【０００９】
【非特許文献１】3rd Generation Partnership Project; 3GPP TS 36.211 v10.5.0, Evolved Universal Terrestrial Radio Access (E-UTRA); Physical Channels and Modulation, 26 June 2012.
【非特許文献２】3rd Generation Partnership Project; 3GPP TS 36.213 v10.6.0, Evolved Universal Terrestrial Radio Access (E-UTRA); Physical layer procedure, 26 June 2012.
【非特許文献３】"Details of eREG and eCCE structures", R1-123264, 3GPP TSG-RAN WG1 Meeting #70, Qingdao, China, 13 - 17 August 2012.
【非特許文献４】"Views on Remaining Issues of PUCCH Resource and Sequence", R1-123241, 3GPP TSG-RAN WG1 Meeting #70, Qingdao, China, 13 - 17 August 2012.
【発明の概要】
【発明が解決しようとする課題】
【００１０】
しかしながら、ＰＤＣＣＨおよびｅＰＤＣＣＨで下りリンク制御情報の検出を試みる移動局装置と通信する基地局装置において、ＨＡＲＱ−ＡＣＫの送信に用いられるＰＵＣＣＨリソースを、他の移動局装置が用いるＰＵＣＣＨリソースと重複しないように割り当てることが好ましいが、ＨＡＲＱ−ＡＣＫの送信に用いられるＰＵＣＣＨリソースの割り当て方法について、十分に検討はされていない。
【００１１】
本発明は上記の点に鑑みてなされたものであり、その目的は、ＰＤＳＣＨで送信されたトランスポートブロックに対するＨＡＲＱ−ＡＣＫを、ＰＵＣＣＨを用いて効率的に送信および受信することができる移動局装置、基地局装置、無線通信方法、および集積回路を提供することを目的とする。
【課題を解決するための手段】
【００１２】
（１）上記の目的を達成するために、本発明は、以下のような手段を講じた。すなわち、本発明の端末装置は、基地局装置と通信する端末装置であって、前記基地局装置から受信したシグナリングに基づいて、仮想セルアイデンティティの値、第１の値、第２の値、および第３の値を設定する設定部と、ＰＤＣＣＨまたはｅＰＤＣＣＨで、ＰＤＳＣＨのスケジューリングに用いられる下りリンク制御情報を検出する検出部と、前記ＰＤＳＣＨでトランスポートブロックを受信する受信部と、ＰＵＣＣＨリソースを決定する決定部と、前記トランスポートブロックに対するＨＡＲＱ−ＡＣＫを前記ＰＵＣＣＨリソースで送信する送信部と、を備える。また、上記の決定部は、前記検出部が前記下りリンク制御情報を前記ＰＤＣＣＨで検出した場合、前記仮想セルアイデンティティの値が前記設定部によって設定されているか否かに応じて前記第１の値と前記第２の値のいずれかを選択し、そして、少なくとも当該選択した値に基づいて前記ＰＵＣＣＨリソースを決定し、前記検出部が前記下りリンク制御情報を前記ｅＰＤＣＣＨで検出した場合、前記仮想セルアイデンティティの値が前記設定部によって設定されているか否かにかかわらず、少なくとも前記第３の値に基づいて前記ＰＵＣＣＨリソースを決定する。
【００１３】
（２）また、本発明の端末装置は、基地局装置と通信する端末装置であって、前記基地局装置から通知されるシグナリングに基づいて、仮想セルアイデンティティの値、第１の値、第２の値、および第３の値を設定する設定部と、ＰＤＣＣＨまたはｅＰＤＣＣＨでＰＤＳＣＨのスケジューリングに用いられる下りリンク制御情報を検出する検出部と、前記ＰＤＳＣＨでトランスポートブロックを受信する受信部と、ＰＵＣＣＨリソースを決定する決定部と、前記トランスポートブロックに対するＨＡＲＱ−ＡＣＫを前記ＰＵＣＣＨリソースで送信する送信部と、を備える。また、上記の決定部は、前記検出部が前記下りリンク制御情報を前記ＰＤＣＣＨで検出した場合、前記仮想セルアイデンティティの値が前記設定部によって設定されているか否かに応じて、前記第１の値と前記第２の値のいずれかを選択し、そして、少なくとも当該選択した値に基づいて前記ＰＵＣＣＨリソースを決定し、前記検出部が前記下りリンク制御情報を前記ｅＰＤＣＣＨで検出した場合、前記仮想セルアイデンティティの値が前記設定部によって設定されているか否かに応じて、前記第１の値と前記第２の値のいずれかを選択し、そして、少なくとも当該選択した値と前記第３の値とに基づいて前記ＰＵＣＣＨリソースを決定する。
【００１４】
（３）また、本発明において、上記の端末装置は、前記仮想セルアイデンティティの値を受信している場合は、前記仮想セルアイデンティティの値に基づいて、前記ＰＵＣＣＨと時間多重される参照信号を生成する生成部を、更に備え、そして、上記の送信部は、前記参照信号を送信する。
【００１５】
（４）また、本発明において、上記の端末装置の生成部は、前記仮想セルアイデンティティの値を受信していない場合は、物理レイヤセルアイデンティティに基づいて、前記参照信号を生成する。
【００１６】
（５）また、本発明において、単一のサブフレームで、前記ｅＰＤＣＣＨは前記ＰＤＳＣＨと周波数多重され、そして、前記ＰＤＣＣＨは、前記ｅＰＤＣＣＨおよび前記ＰＤＳＣＨと時間多重される。
【００１７】
（６）また、本発明において、前記第１の値は、複数の前記端末装置に対して共通である。
【００１８】
（７）また、本発明において、前記第２の値は、前記端末装置に対して専用である。
【００１９】
（８）また、本発明の基地局装置は、端末装置と通信する基地局装置であって、仮想セルアイデンティティの値、第１の値、第２の値、および第３の値を示す情報を送信し、ＰＤＣＣＨまたはｅＰＤＣＣＨで、ＰＤＳＣＨのスケジューリングに用いられる下りリンク制御情報を送信し、そして、前記ＰＤＳＣＨでトランスポートブロックを送信する送信部と、ＰＵＣＣＨリソースを決定する決定部と、前記トランスポートブロックに対するＨＡＲＱ−ＡＣＫを前記ＰＵＣＣＨリソースで受信する受信部と、を備える。また、上記の決定部は、前記送信部が前記下りリンク制御情報を前記ＰＤＣＣＨで送信した場合、前記送信部が前記仮想セルアイデンティティの値を示す情報を送信しているか否かに応じて前記第１の値と前記第２の値のいずれかを選択し、そして、少なくとも当該選択した値に基づいて前記ＰＵＣＣＨリソースを決定し、前記送信部が前記下りリンク制御情報を前記ｅＰＤＣＣＨで送信した場合、前記送信部が前記仮想セルアイデンティティの値を示す情報を送信しているか否かにかかわらず、少なくとも前記第３の値に基づいて前記ＰＵＣＣＨリソースを決定する。
【００２０】
（９）また、本発明の基地局装置は、端末装置と通信する基地局装置であって、仮想セルアイデンティティの値、第１の値、第２の値、および第３の値を示す情報を送信し、ＰＤＣＣＨまたはｅＰＤＣＣＨで、ＰＤＳＣＨのスケジューリングに用いられる下りリンク制御情報を送信し、そして、前記ＰＤＳＣＨでトランスポートブロックを送信する送信部と、ＰＵＣＣＨリソースを決定する決定部と、前記トランスポートブロックに対するＨＡＲＱ−ＡＣＫを前記ＰＵＣＣＨリソースで受信する受信部と、を備える。また、上記の決定部は、前記送信部が前記下りリンク制御情報を前記ＰＤＣＣＨで送信した場合、前記送信部が前記仮想セルアイデンティティの値を示す情報を送信しているか否かに応じて前記第１の値と前記第２の値のいずれかを選択し、そして、少なくとも当該選択した値に基づいて前記ＰＵＣＣＨリソースを決定し、前記送信部が前記下りリンク制御情報を前記ｅＰＤＣＣＨで送信した場合、前記送信部が前記仮想セルアイデンティティの値を示す情報を送信しているか否かに応じて、前記第１の値と前記第２の値のいずれかを選択し、そして、少なくとも当該選択した値と前記第３の値とに基づいて前記ＰＵＣＣＨリソースを決定する。
【００２１】
（１０）また、本発明において、上記の基地局装置の受信部は、前記送信部が前記仮想セルアイデンティティの値を送信している場合は、前記端末装置が前記仮想セルアイデンティティの値に基づいて生成する参照信号を前記端末装置から受信し、そして、前記参照信号に基づいて前記ＰＵＣＣＨの復調処理を行う。
【００２２】
（１１）また、本発明において、上記の基地局装置の受信部は、前記送信部が前記仮想セルアイデンティティの値を送信していない場合は、前記端末装置が物理レイヤセルアイデンティティの値に基づいて生成する前記参照信号を前記端末装置から受信し、前記参照信号に基づいて前記ＰＵＣＣＨの復調処理を行う。
【００２３】
（１２）また、本発明において、単一のサブフレームで、前記ｅＰＤＣＣＨは前記ＰＤＳＣＨと周波数多重され、そして、前記ＰＤＣＣＨは、前記ｅＰＤＣＣＨおよび前記ＰＤＳＣＨと時間多重される。
【００２４】
（１３）また、本発明において、前記第１の値は、複数の前記端末装置に対して共通である。
【００２５】
（１４）また、本発明において、前記第２の値は、前記端末装置に対して専用である。
【００２６】
（１５）また、本発明の無線通信方法は、基地局装置と通信する端末装置に用いられる無線通信方法であって、前記基地局装置から受信したシグナリングに基づいて、第１の値、第２の値、および第３の値を設定し、ＰＤＣＣＨまたはｅＰＤＣＣＨで、ＰＤＳＣＨのスケジューリングに用いられる下りリンク制御情報を検出し、前記ＰＤＳＣＨでトランスポートブロックを受信し、前記下りリンク制御情報を前記ＰＤＣＣＨで検出した場合、前記仮想セルアイデンティティの値を設定しているか否かに応じて前記第１の値と前記第２の値のいずれかを選択し、そして、少なくとも当該選択した値に基づいて前記ＰＵＣＣＨリソースを決定し、前記下りリンク制御情報を前記ｅＰＤＣＣＨで検出した場合、前記仮想セルアイデンティティの値を設定しているか否かにかかわらず、少なくとも前記第３の値に基づいて前記ＰＵＣＣＨリソースを決定し、前記トランスポートブロックに対するＨＡＲＱ−ＡＣＫを前記ＰＵＣＣＨリソースで送信する。
【００２７】
（１６）また、本発明の無線通信方法は、基地局装置と通信する端末装置に用いられる無線通信方法であって、前記基地局装置から通知されるシグナリングに基づいて、第１の値、第２の値、および第３の値を設定し、ＰＤＣＣＨまたはｅＰＤＣＣＨでＰＤＳＣＨのスケジューリングに用いられる下りリンク制御情報を検出し、前記ＰＤＳＣＨでトランスポートブロックを受信し、前記下りリンク制御情報を前記ＰＤＣＣＨで検出した場合、前記仮想セルアイデンティティの値を設定しているか否かに応じて前記第１の値と前記第２の値のいずれかを選択し、そして、少なくとも当該選択した値に基づいてＰＵＣＣＨリソースを決定し、前記下りリンク制御情報を前記ｅＰＤＣＣＨで検出した場合、前記仮想セルアイデンティティの値を設定しているか否かに応じて、前記第１の値と前記第２の値のいずれかを選択し、そして、少なくとも当該選択した値と前記第３の値とに基づいて前記ＰＵＣＣＨリソースを決定し、前記トランスポートブロックに対するＨＡＲＱ−ＡＣＫを前記ＰＵＣＣＨリソースで送信する。
【００２８】
（１７）また、本発明の無線通信方法は、端末装置と通信する基地局装置に用いられる無線通信方法であって、第１の値、第２の値、および第３の値を示す情報を送信し、ＰＤＣＣＨまたはｅＰＤＣＣＨで、ＰＤＳＣＨのスケジューリングに用いられる下りリンク制御情報を送信し、前記ＰＤＳＣＨでトランスポートブロックを送信し、前記下りリンク制御情報を前記ＰＤＣＣＨで送信した場合、仮想セルアイデンティティの値を示す情報を送信しているか否かに応じて前記第１の値と前記第２の値のいずれかを選択し、そして、少なくとも当該選択した値に基づいてＰＵＣＣＨリソースを決定し、前記下りリンク制御情報を前記ｅＰＤＣＣＨで送信した場合、前記仮想セルアイデンティティの値を示す情報を送信しているか否かにかかわらず、少なくとも前記第３の値に基づいて前記ＰＵＣＣＨリソースを決定し、前記トランスポートブロックに対するＨＡＲＱ−ＡＣＫを前記ＰＵＣＣＨリソースで受信する。
【００２９】
（１８）また、本発明の無線通信方法は、端末装置と通信する基地局装置に用いられる無線通信方法であって、第１の値、第２の値、および第３の値を示す情報を送信し、ＰＤＣＣＨまたはｅＰＤＣＣＨで、ＰＤＳＣＨのスケジューリングに用いられる下りリンク制御情報を送信し、前記ＰＤＳＣＨでトランスポートブロックを送信し、前記下りリンク制御情報を前記ＰＤＣＣＨで送信した場合、仮想セルアイデンティティの値を示す情報を送信しているか否かに応じて前記第１の値と前記第２の値のいずれかを選択し、そして、少なくとも当該選択した値に基づいてＰＵＣＣＨリソースを決定し、前記下りリンク制御情報を前記ｅＰＤＣＣＨで送信した場合、前記仮想セルアイデンティティの値を示す情報を送信しているか否かに応じて前記第１の値と前記第２の値のいずれかを選択し、そして、少なくとも当該選択した値と前記第３の値とに基づいて前記ＰＵＣＣＨリソースを決定し、前記トランスポートブロックに対するＨＡＲＱ−ＡＣＫを前記ＰＵＣＣＨリソースで受信する。
【００３０】
（１９）また、本発明の集積回路は、基地局装置と通信する端末装置に実装される集積回路であって、前記基地局装置から受信したシグナリングに基づいて、第１の値、第２の値、および第３の値を設定する機能と、ＰＤＣＣＨまたはｅＰＤＣＣＨで、ＰＤＳＣＨのスケジューリングに用いられる下りリンク制御情報を検出する機能と、前記ＰＤＳＣＨでトランスポートブロックを受信する機能と、前記下りリンク制御情報を前記ＰＤＣＣＨで検出した場合、前記仮想セルアイデンティティの値を設定しているか否かに応じて前記第１の値と前記第２の値のいずれかを選択し、そして、少なくとも当該選択した値に基づいて前記ＰＵＣＣＨリソースを決定する機能と、前記下りリンク制御情報を前記ｅＰＤＣＣＨで検出した場合、前記仮想セルアイデンティティの値を設定しているか否かにかかわらず、少なくとも前記第３の値に基づいて前記ＰＵＣＣＨリソースを決定する機能と、前記トランスポートブロックに対するＨＡＲＱ−ＡＣＫを前記ＰＵＣＣＨリソースで送信する機能と、を前記端末装置に発揮させる。
【００３１】
（２０）また、本発明の集積回路は、基地局装置と通信する端末装置に実装される集積回路であって、前記基地局装置から通知されるシグナリングに基づいて、第１の値、第２の値、および第３の値を設定する機能と、ＰＤＣＣＨまたはｅＰＤＣＣＨでＰＤＳＣＨのスケジューリングに用いられる下りリンク制御情報を検出する機能と、前記ＰＤＳＣＨでトランスポートブロックを受信する機能と、前記下りリンク制御情報を前記ＰＤＣＣＨで検出した場合、前記仮想セルアイデンティティの値を設定しているか否かに応じて前記第１の値と前記第２の値のいずれかを選択し、そして、少なくとも当該選択した値に基づいてＰＵＣＣＨリソースを決定する機能と、前記下りリンク制御情報を前記ｅＰＤＣＣＨで検出した場合、前記仮想セルアイデンティティの値を設定しているか否かに応じて、前記第１の値と前記第２の値のいずれかを選択し、そして、少なくとも当該選択した値と前記第３の値とに基づいて前記ＰＵＣＣＨリソースを決定する機能と、前記トランスポートブロックに対するＨＡＲＱ−ＡＣＫを前記ＰＵＣＣＨリソースで送信する機能と、を前記端末装置に発揮させる。
【００３２】
（２１）また、本発明の集積回路は、端末装置と通信する基地局装置に実装される集積回路であって、第１の値、第２の値、および第３の値を示す情報を送信する機能と、ＰＤＣＣＨまたはｅＰＤＣＣＨで、ＰＤＳＣＨのスケジューリングに用いられる下りリンク制御情報を送信する機能と、前記ＰＤＳＣＨでトランスポートブロックを送信する機能と、前記下りリンク制御情報を前記ＰＤＣＣＨで送信した場合、仮想セルアイデンティティの値を示す情報を送信しているか否かに応じて前記第１の値と前記第２の値のいずれかを選択し、そして、少なくとも当該選択した値に基づいてＰＵＣＣＨリソースを決定する機能と、前記下りリンク制御情報を前記ｅＰＤＣＣＨで送信した場合、前記仮想セルアイデンティティの値を示す情報を送信しているか否かにかかわらず、少なくとも前記第３の値に基づいて前記ＰＵＣＣＨリソースを決定する機能と、前記トランスポートブロックに対するＨＡＲＱ−ＡＣＫを前記ＰＵＣＣＨリソースで受信する機能と、を前記基地局装置に発揮させる。
【００３３】
（２２）また、本発明の集積回路は、端末装置と通信する基地局装置に実装される集積回路であって、第１の値、第２の値、および第３の値を示す情報を送信する機能と、ＰＤＣＣＨまたはｅＰＤＣＣＨで、ＰＤＳＣＨのスケジューリングに用いられる下りリンク制御情報を送信する機能と、前記ＰＤＳＣＨでトランスポートブロックを送信する機能と、前記下りリンク制御情報を前記ＰＤＣＣＨで送信した場合、仮想セルアイデンティティの値を示す情報を送信しているか否かに応じて前記第１の値と前記第２の値のいずれかを選択し、そして、少なくとも当該選択した値に基づいてＰＵＣＣＨリソースを決定する機能と、前記下りリンク制御情報を前記ｅＰＤＣＣＨで送信した場合、前記仮想セルアイデンティティの値を示す情報を送信しているか否かに応じて前記第１の値と前記第２の値のいずれかを選択し、そして、少なくとも当該選択した値と前記第３の値とに基づいて前記ＰＵＣＣＨリソースを決定する機能と、前記トランスポートブロックに対するＨＡＲＱ−ＡＣＫを前記ＰＵＣＣＨリソースで受信する機能と、を前記基地局装置に発揮させる。
【発明の効果】
【００３４】
この発明によれば、移動局装置と基地局装置のそれぞれは、ＰＤＳＣＨで送信されたトランスポートブロックに対するＨＡＲＱ−ＡＣＫを、ＰＵＣＣＨを用いて効率的に送信および受信することができる。
【図面の簡単な説明】
【００３５】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のＰＤＣＣＨをリソースエレメントにマッピングする方法を示す図である。
【図７】本実施形態のｅＰＤＣＣＨをリソースエレメントにマッピングする方法を示す図である。
【図８】本実施形態のＰＵＣＣＨが配置される物理リソースブロックを示す図である。
【図９】本実施形態のＰＵＣＣＨリソースのインデックスとＰＵＣＣＨリソースとの対応を示す図である。
【図１０】本実施形態のＰＵＣＣＨを生成する方法を示す図である。
【図１１】本実施形態のＤＭＲＳの系列を生成する方法を示す図である。
【図１２】第１の実施形態のアンテナポートp0に対するＰＵＣＣＨリソースとＣＣＥ／ｅＣＣＥとの対応を示す図である。
【図１３】第１の実施形態の移動局装置１の動作について説明するフロー図である。
【図１４】第１の実施形態の基地局装置３の動作について説明するフロー図である。
【図１５】本実施形態の移動局装置１の構成を示す概略ブロック図である。
【図１６】本実施形態の基地局装置３の構成を示す概略ブロック図である。
【図１７】第２の実施形態のアンテナポートp0に対するＰＵＣＣＨリソースとＣＣＥ／ｅＣＣＥとの対応を示す図である。
【図１８】第２の実施形態の移動局装置１の動作について説明するフロー図である。
【図１９】第２の実施形態の基地局装置３の動作について説明するフロー図である。
【発明を実施するための形態】
【００３６】
以下、本発明の実施形態について説明する。
【００３７】
本実施形態では、移動局装置は、単一のセルで送信および受信する。しかしながら、本発明は、移動局装置が複数のセルで同時に送信および受信する場合にも適用できる。移動局装置が複数のセルと通信する技術をセルアグリゲーション、またはキャリアアグリゲーションと称する。アグリゲートされる複数のセルのそれぞれにおいて、本発明が適用されてもよい。または、アグリゲートされる複数のセルの一部に本発明が適用されてもよい。
【００３８】
以下、ＦＤＤ（Frequency Division Duplex）方式の無線通信システムを参照しながら本実施形態の説明をする。しかしながら、本発明は、ＴＤＤ（Time Division Duplex）方式の無線通信システムにも適用することができる。また、ＴＤＤ方式を用いるセルとＦＤＤ方式を用いるセルがアグリゲートされる無線通信システムにも適用することができる。
【００３９】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００４０】
以下、本実施形態の物理チャネルおよび物理信号について説明する。
【００４１】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００４２】
ＰＵＣＣＨは、上りリンク制御情報（Uplink Control Information: UCI）を送信するために用いられる。上りリンク制御情報には、下りリンクデータ（Downlink-Shared Channel: DL-SCH）に対するＨＡＲＱ−ＡＣＫ（ＨＡＲＱフィードバック、応答情報）が含まれる。
【００４３】
ＰＵＳＣＨは、上りリンクデータ（Uplink-Shared Channel: UL-SCH）を送信するために用いられる。ＰＵＳＣＨは、上りリンクデータと共に上りリンク制御情報を送信するために用いられてもよい。ＰＵＳＣＨは上りリンク制御情報のみを送信するために用いられてもよい。
【００４４】
移動局装置１は、基地局装置３から受信した情報（シグナリング）に基づいてＰＵＳＣＨとＰＵＣＣＨを同時に送信するかどうかを設定する。移動局装置１がＰＵＳＣＨとＰＵＣＣＨを同時に送信しないと設定しており、そして、サブフレームｎでＰＵＳＣＨを送信する場合は、ＰＵＳＣＨでcontention based random access procedureの一環としてＰＵＳＣＨを送信する場合を除いて、移動局装置１は、サブフレームｎにおいてＨＡＲＱ−ＡＣＫをＰＵＳＣＨで送信する。移動局装置１がＰＵＳＣＨとＰＵＣＣＨを同時に送信しないと設定しており、そして、サブフレームｎでＰＵＳＣＨを送信しない場合は、移動局装置１は、サブフレームｎにおいて移動局装置１はＨＡＲＱ−ＡＣＫをＰＵＣＣＨで送信する。
【００４５】
移動局装置１がＰＵＳＣＨとＰＵＣＣＨを同時に送信すると設定している場合は、移動局装置１は、サブフレームｎにおいてＰＵＳＣＨを送信するかどうかにかかわらず、ＨＡＲＱ−ＡＣＫをＰＵＣＣＨで送信する。
【００４６】
ＰＲＡＣＨは、ランダムアクセスプリアンブルを送信するために用いられる。ＰＲＡＣＨは、移動局装置１が基地局装置３と時間領域の同期をとることを主な目的とする。
【００４７】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
【００４８】
本実施形態において、以下の２つのタイプの上りリンク参照信号が用いられる。
・ＤＭＲＳ（Demodulation Reference Signal）
・ＳＲＳ（Sounding Reference Signal）
【００４９】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＤＭＲＳを用いてＰＵＳＣＨまたはＰＵＣＣＨの復調処理を行う。以下、ＰＵＳＣＨとＤＭＲＳを共に送信することを、単にＰＵＳＣＨを送信するとも称する。以下、ＰＵＣＣＨとＤＭＲＳを共に送信することを、単にＰＵＣＣＨを送信するとも称する。
【００５０】
ＳＲＳは、ＰＵＳＣＨまたはＰＵＣＣＨの送信に関連しない。基地局装置３は、上りリンクのチャネル状態を測定するためにＳＲＳを使用する。ＳＲＳが送信されるシンボルを、サウンディング参照シンボルとも称する。ＳＲＳの詳細は後述する。
【００５１】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ｅＰＤＣＣＨ（enhanced Physical Downlink Control Channel）
・ＰＤＳＣＨ（Physical Downlink Shared Channel）
【００５２】
ＰＢＣＨは、移動局装置１で共通に用いられるシステム情報（マスターインフォメーションブロック、Broadcast Channel: BCH）を報知するために用いられる。ＰＢＣＨは、４０ms間隔で送信される。４０ms間隔のタイミングは、移動局装置１においてブラインド検出（blind detection）される。また、ＰＢＣＨは、10ms間隔で再送信される。
【００５３】
ＰＣＦＩＣＨは、ＰＤＣＣＨの送信のために予約される領域（ＯＦＤＭシンボル）を指示する情報を送信するために用いられる。
【００５４】
ＰＨＩＣＨは、基地局装置３が受信した上りリンクデータ（Uplink Shared Channel: UL-SCH）に対するＨＡＲＱ−ＡＣＫを示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。
【００５５】
ＰＤＣＣＨおよびｅＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink assignment；または下りリンクアサインメント「downlink assignment」とも称する。）および上りリンクグラント（uplink grant）を含む。下りリンクグラントは、単一のセル内の単一のＰＤＳＣＨのスケジューリングに用いられる下りリンク制御情報である。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる下りリンク制御情報である。上りリンクグラントは、該上りリンクグラントが送信されたサブフレームよりも４つ以上後のサブフレーム内の単一のＰＵＳＣＨのスケジューリングに用いられる。
【００５６】
ＰＤＳＣＨは、下りリンクデータ（Downlink Shared Channel: DL-SCH）を送信するために用いられる。
【００５７】
図１において、下りリンクの無線通信では、以下の下りリンク物理信号が用いられる。下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５８】
同期信号は、移動局装置１が下りリンクの周波数領域および時間領域の同期をとるために用いられる。
【００５９】
下りリンク参照信号は、移動局装置１が下りリンク物理チャネルの伝搬路補正を行なうために用いられる。下りリンク参照信号は、移動局装置１が下りリンクのチャネル状態情報を算出するために用いられる。
【００６０】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００６１】
ＢＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。また、トランスポートチャネルをトランスポートブロックとも称する。
【００６２】
以下、本実施形態の無線フレーム（radio frame）の構成について説明する。
【００６３】
図２は、本実施形態の無線フレームの概略構成を示す図である。無線フレームのそれぞれは、１０ｍｓ長である。また、無線フレームのそれぞれは１０のサブフレームから構成される。サブフレームのそれぞれは、１ｍｓ長であり、２つの連続するスロットによって定義される。無線フレーム内のｉ番目のサブフレームは、（２×ｉ）番目のスロットと（２×ｉ＋１）番目のスロットとから構成される。スロットのそれぞれは、０．５ｍｓ長である。
【００６４】
以下、本実施形態のスロットの構成について説明する。
【００６５】
図３は、本実施形態のスロットの構成を示す図である。スロットのそれぞれにおいて送信される物理信号または物理チャネルは、リソースグリッドによって表現される。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの上りリンク帯域幅または下りリンク帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号と、ＯＦＤＭシンボルの番号またはＳＣ−ＦＤＭＡシンボルの番号とを用いて識別する。
【００６６】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、そして、周波数領域において１８０ｋＨｚに対応する。物理リソースブロックは周波数領域において０から番号が付けられる。
【００６７】
以下、サブフレームのそれぞれにおいて送信される物理チャネルおよび物理信号について説明する。
【００６８】
図４は、本実施形態の下りリンクサブフレームにおける物理チャネルおよび物理信号の配置の一例を示す図である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ｅＰＤＣＣＨ、ＰＤＳＣＨ）、および下りリンク物理信号（同期信号、下りリンク参照信号）を送信できる。尚、ＰＢＣＨは無線フレーム内のサブフレーム０のみで送信される。尚、同期信号は無線フレーム内のサブフレーム０と５のみに配置される。尚、下りリンク参照信号は周波数領域および時間領域において分散するリソースエレメントに配置される。説明の簡略化のため図４において下りリンク参照信号は図示しない。
【００６９】
ＰＤＣＣＨ領域において、複数のＰＤＣＣＨが周波数および時間多重される。ｅＰＤＣＣＨ領域において、複数のｅＰＤＣＣＨが周波数および／または時間多重される。ＰＤＳＣＨ領域において、複数のＰＤＳＣＨが周波数および空間多重される。ＰＤＣＣＨは、ＰＤＳＣＨおよびｅＰＤＣＣＨと時間多重される。ｅＰＤＣＣＨはＰＤＳＣＨと周波数多重される。
【００７０】
図５は、本実施形態の上りリンクサブフレームにおける物理チャネルおよび物理信号の配置の一例を示す図である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信できる。
【００７１】
ＰＵＣＣＨ領域において、複数の移動局装置１が送信した複数のＰＵＣＣＨが周波数、時間、および符合多重される。単一の移動局装置１は単一の上りリンクサブフレームで１つのＰＵＣＣＨを送信できる。ＰＵＳＣＨ領域において、複数のＰＵＳＣＨが周波数および空間多重される。単一の移動局装置１は、単一のセルの単一の上りリンクサブフレームで単一のＰＵＳＣＨを送信できる。ＰＵＣＣＨとＰＵＳＣＨは周波数多重される。単一の移動局装置１は、単一のセルの単一の上りリンクサブフレームで単一のＰＵＳＣＨと単一のＰＵＣＣＨを同時に送信することができる。ＰＲＡＣＨは単一のサブフレームまたは２つのサブフレームにわたって配置される。また、複数の移動局装置１が送信した複数のＰＲＡＣＨが符号多重される。単一の移動局装置１は、単一のセルでＰＲＡＣＨと他の上りリンク信号を同時に送信しない。
【００７２】
ＳＲＳは上りリンクサブフレーム内の最後のＳＣ−ＦＤＭＡシンボルを用いて送信される。移動局装置１は、単一のセルの単一のＳＣ−ＦＤＭＡシンボルにおいて、ＳＲＳとＰＵＣＣＨ／ＰＵＳＣＨ／ＰＲＡＣＨを同時に送信しない。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳとＰＵＳＣＨ／ＰＵＣＣＨを同時に送信することができる。尚、ＤＭＲＳはＰＵＣＣＨまたはＰＵＳＣＨと時間多重される。説明の簡略化のため図５においてＤＭＲＳは図示しない。
【００７３】
以下、ＰＤＣＣＨリソースについて説明する。
【００７４】
ＰＤＣＣＨは１つのＰＤＣＣＨ候補（candidate）にマップされる。１つのＰＤＣＣＨ候補は１つまたは複数のＣＣＥ（Control Channel Element）から構成される。ＣＣＥは、ＰＤＣＣＨ領域に配置される。
【００７５】
図６は、本実施形態のＰＤＣＣＨをリソースエレメントにマッピングする方法を示す図である。１つのＣＣＥは３６の変調シンボル（複素数値シンボル: complex-valued symbol）を送信するために使用される。１つのＣＣＥは、９つのｍｉｎｉ−ＣＣＥから構成される。１つのｍｉｎｉ−ＣＣＥは４つの変調シンボルから構成される。基地局装置３は、１つのｍｉｎｉ−ＣＣＥを１つのリソースエレメントグループにマップする。１つのリソースエレメントグループは、周波数領域において４つ連続するリソースエレメントから構成される。つまり、１つの変調シンボルが１つのリソースエレメントにマップされる。
【００７６】
基地局装置３は、ＣＣＥをｍｉｎｉ−ＣＣＥ単位でインターリーブする。次に、基地局装置３は、インターリーブしたｍｉｎｉ−ＣＣＥをサイクリックシフトする。サイクリックシフトの値は、物理レイヤセルアイデンティティ（Physical layer Cell Identity: PCI）の値である。つまり、異なる物理レイヤセル識別子を持つセルの間では、異なる値のサイクリックシフトが行なわれる。これにより、セル間におけるＰＤＣＣＨの干渉をランダム化することができる。尚、移動局装置１は、同期信号から物理レイヤセルアイデンティティを検出することができる。また、基地局装置３は、物理レイヤセルアイデンティティを示す情報を含むハンドオーバーコマンドを移動局装置１に送信することができる。
【００７７】
次に、基地局装置３は、サイクリックシフトしたｍｉｎｉ−ＣＣＥをＰＤＣＣＨ／ＰＨＩＣＨ／ＰＣＦＩＣＨ領域のリソースエレメントグループにマップする。基地局装置３は、ＰＨＩＣＨおよびＰＣＦＩＣＨがマップされるリソースエレメントグループ以外のリソースエレメントグループにＰＤＣＣＨのｍｉｎｉ−ＣＣＥをマップする。
【００７８】
以下、ｅＰＤＣＣＨリソースについて説明する。
【００７９】
ｅＰＤＣＣＨは１つのｅＰＤＣＣＨ候補（candidate）にマップされる。１つのｅＰＤＣＣＨ候補は１つまたは複数のｅＣＣＥ（enhanced Control Channel Element）から構成される。単一の移動局装置に対して、複数のｅＰＤＣＣＨ領域が定義されてもよい。基地局装置３は、ｅＰＤＣＣＨ領域を構成する１つまたは複数の物理リソースブロックを示す情報を、移動局装置１に送信する。ｅＰＤＣＣＨ領域のそれぞれに対してｅＣＣＥが定義される。また、単一のｅＣＣＥは、単一のｅＰＤＣＣＨ領域に配置される。ｅＰＤＣＣＨ領域をｅＰＤＣＣＨセットとも称する。
【００８０】
図７は、本実施形態のｅＰＤＣＣＨをリソースエレメントにマッピングする方法を示す図である。１つのｅＣＣＥは複数の変調シンボル（複素数値シンボル: complex-valued symbol）を送信するために使用される。１つのｅＣＣＥは、複数のｍｉｎｉ−ｅＣＣＥから構成される。１つのｍｉｎｉ−ｅＣＣＥは複数の変調シンボルから構成される。基地局装置３は、１つのｍｉｎｉ−ｅＣＣＥを１つのリソースエレメントグループにマップする。サブフレーム内において、周波数領域で連続している２つの物理リソースブロックを構成する複数のリソースエレメントは、１６のリソースエレメントグループに分割される。
【００８１】
図７において、ｅＰＤＣＣＨ領域１に対するｅＣＣＥ（ｅＣＣＥ０、ｅＣＣＥ１、ｅＣＣＥ２、および、ｅＣＣＥ３）は、ｅＰＤＣＣＨ領域１のリソースエレメントに配置される。また、図７において、ｅＰＤＣＣＨ領域２に対するｅＣＣＥ（ｅＣＣＥ０、ｅＣＣＥ１、ｅＣＣＥ２、および、ｅＣＣＥ３）は、ｅＰＤＣＣＨ領域２のリソースエレメントに配置される。尚、本実施形態において、ｅＰＤＣＣＨ領域のそれぞれに対応するｅＣＣＥの番号は０から割り振られる。尚、複数のｅＰＤＣＣＨ領域にまたがってｅＣＣＥの番号を割り振ってもよい。例えば、ｅＰＤＣＣＨ領域１に対するｅＣＣＥの番号が０から３である場合に、ｅＰＤＣＣＨ領域２に対するｅＣＣＥの番号を４から割り振ってもよい。
【００８２】
以下、ＰＵＣＣＨリソースについて説明する。
【００８３】
図８は、本実施形態のＰＵＣＣＨが配置される物理リソースブロックを示す図である。図８において、nPRBは、周波数領域における物理リソースブロックの番号であり、NULPRBは、上りリンク帯域幅に含まれる物理リソースブロックの数であり、ｍはＰＵＣＣＨが配置される物理リソースブロックを識別するための番号である。
【００８４】
単一のＰＵＣＣＨは、２つの物理リソースブロックに配置される。つまり、単一のＰＵＣＣＨは、第１スロットの１つの物理リソースブロックと、第２スロットの１つの物理リソースブロックに配置される。また、第１スロットの１つの物理リソースブロックは、上りリンク帯域の中心周波数に対して第２スロットの１つの物理リソースブロックと対称である。
【００８５】
尚、当該２つの物理リソースブロックにおいて、複数のＰＵＣＣＨが符号多重される。例えば、ｍ＝ｋの２つの物理リソースブロックにおいて、３６のＰＵＣＣＨが符号多重される。例えば、ＰＵＣＣＨリソース番号が（３６×ｋ）から（３６×ｋ＋３５）のＰＵＣＣＨリソースはｍ＝ｋの２つの物理リソースブロックに配置される。
【００８６】
本実施形態では、複数のアンテナポートを用いてＰＵＣＣＨを送信する場合には、アンテナポートのそれぞれに対して異なるＰＵＣＣＨリソースを割り当て、そして、アンテナポートのそれぞれで同じＨＡＲＱ−ＡＣＫの情報を送信する。
【００８７】
以下、ＰＵＣＣＨの拡散方法について説明する。
【００８８】
ＰＵＣＣＨの拡散には、サイクリックシフトαと直交符号w(i)が用いられる。つまり、ＰＵＣＣＨのリソースは、番号ｍとサイクリックシフトαと直交系列w(i)との組合せによって特定される。
【００８９】
単一のＰＵＣＣＨリソースにおいて、サイクリックシフトαは２π・n(p)CS／１２（n(p)CS＝０、１、…１１）のうち１つが対応する。n(p)CSは、サイクリックシフトインデックスである。また、単一のＰＵＣＣＨリソースにおいて、w(i)は、[＋１  ＋１  ＋１  ＋１]と[＋１  ―１  ＋１  ―１]と[＋１  ―１  ―１  ＋１]とのうち１つに対応する。
【００９０】
図９は、本実施形態のＰＵＣＣＨリソースのインデックスとＰＵＣＣＨリソースとの対応を示す図である。図９において、ｍはＰＵＣＣＨリソースが対応する物理リソースブロックを識別するための番号であり、n(1,p)PUCCHはアンテナポートｐに対するＰＵＣＣＨリソースのインデックスであり、n(p)OCはアンテナポートｐに対する直交系列インデックスであり、そして、n(p)CSはアンテナポートｐに対するサイクリックシフトインデックスである。例えば、図９において、ＰＵＣＣＨリソースのインデックスが１の場合、ｍは０、直交系列インデックスn(p)OCは０、そして、サイクリックシフトインデックスn(p)OCは１である。
【００９１】
図１０は、本実施形態のＰＵＣＣＨを生成する方法を示す図である。図１０において、NPUCCHSFは、単一のスロット内における直交系列ｗ（ｉ）のスプレッディングファクタであり、そして、４である。図１０において、NPUCCHseqは、単一のＰＵＣＣＨの帯域幅に含まれるサブキャリアの数であり、そして、１２である。図１０において、ｐはアンテナポートの番号であり、そして、ＰはＰＵＣＣＨの送信に用いられるアンテナポートの数である。
【００９２】
最初に、移動局装置１は、シーケンスr’u,v(n)を決定する。ｕは、シーケンスグループ番号である。ＰＵＣＣＨに対する仮想セルアイデンティティの値を受信している場合は、移動局装置１は少なくとも仮想セルアイデンティティに基づいてｕの値を決定する。また、ＰＵＣＣＨに対する仮想セルアイデンティティの値を受信していない場合は、移動局装置１は少なくとも物理レイヤセルアイデンティティに基づいてｕの値を決定する。ｖは、シーケンス番号であり、ＰＵＣＣＨに対しては常に０である。
【００９３】
基地局装置３は、移動局装置１のそれぞれに対してＰＵＣＣＨに対する仮想セルアイデンティティの値を決定し、そして、当該決定した仮想セルアイデンティティの値を示す情報を移動局装置１のそれぞれに送信してもよい。尚、基地局装置３は、ＰＵＣＣＨに対する仮想セルアイデンティティの値を示す情報を移動局装置１に送信しなくてもよい。移動局装置１は、ＰＵＣＣＨに対する仮想セルアイデンティティの値を示す情報（シグナリング）に基づいて、ＰＵＣＣＨに対する仮想セルアイデンティティの値を設定する。
【００９４】
尚、仮想セルアイデンティティは、物理チャネルおよび物理信号のそれぞれに対して設定されてもよい。尚、ある物理チャネル、または、ある物理信号に対して、複数の仮想セルアイデンティティが設定されてもよい。以降、本実施形態では、ＰＵＣＣＨに対する仮想セルアイデンティティを、単に仮想セルアイデンティティと称する。
【００９５】
尚、シーケンスグループ番号ｕは、擬似ランダムシーケンスに基づいて、スロット毎にホップしてもよい。基地局装置３は、シーケンスグループ番号ｕのホッピングが有効かどうかを示す情報を送信する。また、移動局装置１は、シーケンスグループ番号ｕのホッピングが有効かどうかを示す情報に基づいて、シーケンスグループ番号ｕをホップさせるかどうかを決定する。
【００９６】
移動局装置１と基地局装置３は、シーケンスグループ番号のそれぞれに対して定義されている系列長１２のシーケンスr’u,v(n)を記憶しており、そして、決定したｕに対応するシーケンスr’u,v(n)を読み出す（生成する）。
【００９７】
移動局装置１は、シーケンスr’u,v(n)をｅｊαpｎで乗算することにより、シーケンスr(αp)u,v(n)。αpは、サブキャリア毎の位相回転量である。周波数領域におけるシーケンスr’u,v(n)の位相回転は、時間領域におけるＰＵＣＣＨのＳＣ−ＦＤＭＡシンボルのサイクリックシフトに相当する。従って、本実施形態において、αpを単にサイクリックシフトとも称する。
【００９８】
移動局装置１は、シーケンスr(αp)u,v(n)に１/√Ｐとｄ(0)を乗算することにより、変調シンボルのブロックy(p)(n)を生成する。ｄ（０）は１ビットまたは２ビットのＨＡＲＱ−ＡＣＫのそれぞれをＢＰＳＫ（Binary Phase Shift Keying）変調またはＱＰＳＫ（Quadrature Phase Shift Keying）変調することによって生成される変調シンボルである。
【００９９】
移動局装置１は、変調シンボルのブロックy(p)(n)にS(ns)を乗算し、そして、S(ns)を乗算した変調シンボルのブロックy(p)(n)を直交系列wn(p)OC(m)で拡散することにより、変調シンボルのブロックz(p)(*)を生成する。S(ns)は、ＰＵＣＣＨリソースの番号に基づいて、１またはｅjπ/2が選択される。
【０１００】
移動局装置１は、サブフレーム内において、変調シンボルのブロックz(p)(*)を第１のスロットの｛０、１、５，６｝のＳＣ−ＦＤＭＡシンボルに配置し、次に、第２のスロットの｛０、１、５，６｝のＳＣ−ＦＤＭＡシンボルに配置する。尚、単一のＳＣ−ＦＤＭＡシンボルにおいて、z(p)(*)は番号の小さいサブキャリアから順番に配置される。
【０１０１】
以下、ＤＭＲＳの生成方法について説明する。
【０１０２】
図１１は、本実施形態のＤＭＲＳの系列を生成する方法を示す図である。図１１において、NPUCCHRSは、単一のスロット毎のＰＵＣＣＨに対するＤＭＲＳの送信に用いられるＳＣ−ＦＤＭＡシンボルの数であり、そして、３である。図１１において、ＭRSSCは、参照信号系列の長さであり、そして、１２である。
【０１０３】
移動局装置１は、図１１において、ＰＵＣＣＨと同じようにシーケンスr(αp)u,v(n)を生成する。つまり、移動局装置１は、仮想セルアイデンティティを受信していない場合は、少なくとも物理レイヤセルアイデンティティに基づいてシーケンスr(αp)u,v(n)を生成し、そして、仮想セルアイデンティティを受信している場合は、少なくとも仮想セルアイデンティティに基づいてシーケンスr(αp)u,v(n)を生成する。
【０１０４】
また、移動局装置１は、シーケンスr(αp)u,v(n)に１/√Pとw’(p)(m)とz(m)とを乗算することにより、シーケンスr(p)PUCCH(*)を生成する。w’(p)(m)はＤＭＲＳに対する直交系列である。z(m)は、ＨＡＲＱ−ＡＣＫのみの送信に用いられるＰＵＣＣＨのＤＭＲＳに対して常に１である。つまり、ＨＡＲＱ−ＡＣＫのみの送信に用いられるＰＵＣＣＨのＤＭＲＳを生成する場合は、z(m)を乗算する処理をしなくてもよい。
【０１０５】
移動局装置１は、サブフレーム内において、シーケンスr(p)PUCCH(*)を第１のスロットの｛２、３、４｝のＳＣ−ＦＤＭＡシンボルに配置し、次に、第２のスロットの｛２、３、４｝に配置する。尚、単一のＳＣ−ＦＤＭＡシンボルにおいて、r(p)PUCCH(*)は番号の小さいサブキャリアから順番に配置される。
【０１０６】
尚、単一のＰＵＣＣＨリソースに対応するＤＭＲＳにおいて、w’(i)は、[１  １  １]と[１  ej2π/3  ej4π/3]と[１  ej4π/3  ej2π/3]とのうち１つに対応する。
【０１０７】
以下、本発明の第１の実施形態について説明する。
【０１０８】
以下、ＣＣＥおよびｅＣＣＥと、ＰＵＣＣＨリソースとの対応について説明する。
【０１０９】
本実施形態において、移動局装置１は、nCCEまたはneCCEに基づいて、該ＰＤＳＣＨで受信したトランスポートブロックに対するＨＡＲＱ−ＡＣＫの送信に用いるＰＵＣＣＨリソースを決定する。
【０１１０】
nCCEは、ＰＤＳＣＨのスケジューリングに用いられる下りリンク制御情報の送信のために用いられた最初のＣＣＥの番号である。すなわち、nCCEは、ＰＤＳＣＨのスケジューリングに用いられる下りリンク制御情報の送信のために用いられたＰＤＣＣＨを構成するために用いられる、最も低いＣＣＥインデックスである。例えば、ＰＤＳＣＨのスケジューリングに用いられる下りリンク制御情報の送信のためにＣＣＥ２とＣＣＥ３とが用いられる場合、nCCEは２である。
【０１１１】
neCCEは、ＰＤＳＣＨのスケジューリングに用いられる下りリンク制御情報の送信のために用いられた最初のｅＣＣＥの番号である。すなわち、neCCEは、ＰＤＳＣＨのスケジューリングに用いられる下りリンク制御情報の送信のために用いられたｅＰＤＣＣＨを構成するために用いられる、最も低いｅＣＣＥインデックスである。例えば、ＰＤＳＣＨのスケジューリングに用いられる下りリンク制御情報の送信のためにｅＣＣＥ２とｅＣＣＥ３とが用いられる場合、neCCEは２である。
【０１１２】
しかしながら、移動局装置１が、該ＣＣＥまたは該ｅＣＣＥの番号、および、共通のパラメータに基づいてＰＵＣＣＨリソースを決定すると、同じ番号のＣＣＥおよびｅＣＣＥのそれぞれで該下りリンク制御情報を受信した複数の移動局装置１が、同じ番号のＰＵＣＣＨリソースを選択してしまい、ＰＵＣＣＨの信号が衝突してしまうという問題がある。
【０１１３】
また、仮想セルアイデンティティを受信している移動局装置１と、仮想セルアイデンティティを受信していない移動局装置１とが、同じ物理リソースブロックに配置されるＰＵＣＣＨリソースを選択してしまうが、仮想セルアイデンティティに基づいて生成されたＰＵＣＣＨおよびＤＭＲＳと、物理レイヤセルアイデンティティに基づいて生成されたＰＵＣＣＨおよびＤＭＲＳは直交しないため、互いのＰＵＣＣＨの信号が干渉となってしまうという問題がある。そこで、第１の実施形態では、以下の方法で上記問題を解決する。
【０１１４】
ＰＵＣＣＨに対する仮想セルアイデンティティの値を受信していない移動局装置１は、ＰＤＳＣＨのスケジューリングに用いられる下りリンク制御情報をＰＤＣＣＨで受信した場合、数式（１）に基づいてアンテナポートp0に対するＰＵＣＣＨリソースを決定し、そして、数式（２）に基づいてアンテナポートp1に対するＰＵＣＣＨリソースを決定する。N(1)PUCCH（第１の値）は、複数の移動局装置１に対して共通である。基地局装置３は、N(1)PUCCH（第１の値）を示す情報を含むシステムインフォメーションブロックを報知する。
【０１１５】
【数１】
2014064088.tif 000003
【０１１６】
【数２】
2014064088.tif 000004
【０１１７】
ＰＵＣＣＨに対する仮想セルアイデンティティの値を受信している移動局装置１は、ＰＤＳＣＨのスケジューリングに用いられる下りリンク制御情報をＰＤＣＣＨで受信した場合、数式（３）に基づいてアンテナポートp0に対するＰＵＣＣＨリソースを決定し、そして、数式（４）に基づいてアンテナポートp1に対するＰＵＣＣＨリソースを決定する。N(1)PUCCH_CoMP（第２の値）は、移動局装置１に対して専用である。基地局装置３は、N(1)PUCCH_CoMP（第２の値）を示す情報を含む上位層の信号を移動局装置１に送信する。
【０１１８】
【数３】
2014064088.tif 000005
【０１１９】
【数４】
2014064088.tif 000006
【０１２０】
ＰＵＣＣＨに対する仮想セルアイデンティティの値を受信していない移動局装置１は、ＰＤＳＣＨのスケジューリングに用いられる下りリンク制御情報をｅＰＤＣＣＨで受信した場合、数式（５）に基づいてアンテナポートp0に対するＰＵＣＣＨリソースを決定し、そして、数式（６）に基づいてアンテナポートp1に対するＰＵＣＣＨリソースを決定する。
【０１２１】
N(1)ePDCCH(i)（第３の値）は、移動局装置１に対して専用であり、そして、ｅＰＤＣＣＨセットｉのそれぞれに対して設定される。基地局装置３は、ｅＰＤＣＣＨセットｉのそれぞれに対するN(1)ePDCCH(i)（第３の値）を示す情報を含む上位層の信号を移動局装置１に送信する。移動局装置１は、数式（５）および数式（６）において、ｅＰＤＣＣＨを受信（検出した）ｅＰＤＣＣＨセットｉに対応するN(1)ePDCCH(i)（第３の値）を用いる。
【０１２２】
【数５】
2014064088.tif 000007
【０１２３】
【数６】
2014064088.tif 000008
【０１２４】
ＰＵＣＣＨに対する仮想セルアイデンティティの値を受信している移動局装置１は、ＰＤＳＣＨのスケジューリングに用いられる下りリンク制御情報をｅＰＤＣＣＨで受信した場合、数式（７）に基づいてアンテナポートp0に対するＰＵＣＣＨリソースを決定し、そして、数式（８）に基づいてアンテナポートp1に対するＰＵＣＣＨリソースを決定する。
【０１２５】
【数７】
2014064088.tif 000009
【０１２６】
【数８】
2014064088.tif 000010
【０１２７】
移動局装置１は、数式（１）から数式（８）のうち１つまたは複数を用いてアンテナポートp0、または、アンテナポートp0およびp1に対するＰＵＣＣＨリソースを決定し、当該決定したＰＵＣＣＨリソースでＨＡＲＱ−ＡＣＫを送信する。
【０１２８】
また、基地局装置３は、数式（１）から数式（８）のうち１つまたは複数を用いてアンテナポートp0、または、アンテナポートp0およびp1に対するＰＵＣＣＨリソースを決定し、当該決定したＰＵＣＣＨリソースでＨＡＲＱ−ＡＣＫを受信する。
【０１２９】
図１２は、第１の実施形態のアンテナポートp0に対するＰＵＣＣＨリソースとＣＣＥ／ｅＣＣＥとの対応を示す図である。図１２において、ｍはＰＵＣＣＨリソースの物理リソースブロックを識別するための番号である。図１２において、符号１２００はＰＵＣＣＨリソースの番号を示す。
【０１３０】
図１２において、基地局装置３は、３５までのＣＣＥとｅＰＤＣＣＨセット１に対する１６までのｅＣＣＥとｅＰＤＣＣＨセット２に対する８までのｅＣＣＥを送信できることを想定する。また、図１２において、N(1)PUCCH（第１の値）は０であり、N(1)PUCCH_CoMP（第２の値）は７２であり、ｅＰＤＣＣＨセット１に対応するN(1)ePDCCH(1)（第３の値）は３４であり、そして、ｅＰＤＣＣＨセット２に対応するN(1)ePDCCH(2)（第３の値）は５０である。
【０１３１】
図１２において、符号１２０２は、移動局装置１が仮想セルアイデンティティの値を受信していない、そして、ＰＤＳＣＨのスケジューリングに用いられる下りリンク制御情報をＰＤＣＣＨで受信した場合に、移動局装置１がＨＡＲＱ−ＡＣＫの送信に用いる可能性のあるＰＵＣＣＨリソースを示す。つまり、符号１２０２は、図１２において数式（１）が出力するＰＵＣＣＨリソースの番号の範囲である。
【０１３２】
図１２において、符号１２０４は、移動局装置１が仮想セルアイデンティティの値を受信していない、そして、ＰＤＳＣＨのスケジューリングに用いられる下りリンク制御情報をｅＰＤＣＣＨセット１のｅＰＤＣＣＨで受信した場合に、移動局装置１がＨＡＲＱ−ＡＣＫの送信に用いる可能性のあるＰＵＣＣＨリソースを示す。
【０１３３】
図１２において、符号１２０６は、移動局装置１が仮想セルアイデンティティの値を受信していない、そして、ＰＤＳＣＨのスケジューリングに用いられる下りリンク制御情報をｅＰＤＣＣＨセット２のｅＰＤＣＣＨで受信した場合に、移動局装置１がＨＡＲＱ−ＡＣＫの送信に用いる可能性のあるＰＵＣＣＨリソースを示す。つまり、符号１２０４と符号１２０６とは、図１２において数式（５）が出力するＰＵＣＣＨリソースの番号の範囲である。
【０１３４】
図１２において、符号１２０８は、移動局装置１が仮想セルアイデンティティの値を受信している、そして、ＰＤＳＣＨのスケジューリングに用いられる下りリンク制御情報をＰＤＣＣＨで受信した場合に、移動局装置１がＨＡＲＱ−ＡＣＫの送信に用いる可能性のあるＰＵＣＣＨリソースを示す。つまり、符号１２０８は、図１２において数式（３）が出力するＰＵＣＣＨリソースの番号の範囲である。
【０１３５】
図１２において、符号１２１０は、移動局装置１が仮想セルアイデンティティの値を受信している、そして、ＰＤＳＣＨのスケジューリングに用いられる下りリンク制御情報をｅＰＤＣＣＨセット１のｅＰＤＣＣＨで受信した場合に、移動局装置１がＨＡＲＱ−ＡＣＫの送信に用いる可能性のあるＰＵＣＣＨリソースを示す。
【０１３６】
図１２において、符号１２１２は、移動局装置１が仮想セルアイデンティティの値を受信している、そして、ＰＤＳＣＨのスケジューリングに用いられる下りリンク制御情報をｅＰＤＣＣＨセット２のｅＰＤＣＣＨで受信した場合に、移動局装置１がＨＡＲＱ−ＡＣＫの送信に用いる可能性のあるＰＵＣＣＨリソースを示す。つまり、符号１２１０と符号１２１２とは、図１２において数式（７）が出力するＰＵＣＣＨリソースの番号の範囲である。
【０１３７】
結果として、図１２において、仮想セルアイデンティティの値を受信していない移動局装置１はｍが０または１に対応するＰＵＣＣＨリソースでＨＡＲＱ−ＡＣＫを送信し、仮想セルアイデンティティの値を受信している移動局装置１はｍが１または２に対応するＰＵＣＣＨリソースでＨＡＲＱ−ＡＣＫを送信する。つまり、仮想セルアイデンティティの値を受信していない移動局装置１と仮想セルアイデンティティの値を受信している移動局装置１とのそれぞれは、異なる物理リソースブロックでＰＵＣＣＨを送信するため、互いのＰＵＣＣＨの信号が干渉となることを避けることができる。また、ＣＣＥおよびＰＤＣＣＨセットｉに対するｅＣＣＥの同じインデックスが、異なるインデックスのＰＵＣＣＨリソースに対応するため、ＰＵＣＣＨリソースの衝突を避けることができる。
【０１３８】
以下、第１の実施形態の移動局装置１と基地局装置３の動作についてフロー図を用いて説明する。
【０１３９】
図１３は、第１の実施形態の移動局装置１の動作について説明するフロー図である。移動局装置１は、ｅＰＤＣＣＨセットｉのそれぞれを構成する物理リソースブロックを示す情報、仮想セルアイデンティティの値を示す情報、N(1)PUCCH（第１の値）を示す情報、N(1)PUCCH_CoMP（第２の値）を示す情報、および、ｅＰＤＣＣＨセットｉのそれぞれに対応するN(1)ePDCCH(i)（第３の値）を示す情報を受信する（ステップＳ１３００）。尚、ステップＳ１３００において、移動局装置１は、ｅＰＤＣＣＨセットｉのそれぞれを構成する物理リソースブロックを示す情報、仮想セルアイデンティティの値を示す情報、N(1)PUCCH_CoMP（第２の値）を示す情報、および、ｅＰＤＣＣＨセットｉのそれぞれに対応するN(1)ePDCCH(i)（第３の値）を示す情報の一部、または、全部を受信しなくてもよい。
【０１４０】
尚、ＰＤＣＣＨセットｉに対応するN(1)ePDCCH(i)（第３の値）を示す情報は、ｅＰＤＣＣＨセットｉを構成する物理リソースブロックを示す情報と共に送信および受信される。また、N(1)PUCCH_CoMP（第２の値）を示す情報は、仮想セルアイデンティティの値を示す情報と共に送信および受信される。
【０１４１】
以降、仮想セルアイデンティティの値およびN(1)PUCCH_CoMP（第２の値）を受信していない移動局装置１を、単にN(1)PUCCH_CoMP（第２の値）を受信していない移動局装置１、または、仮想セルアイデンティティの値を受信していない移動局装置１とも称する。以降、仮想セルアイデンティティの値およびN(1)PUCCH_CoMP（第２の値）を送信していない基地局装置３を、単にN(1)PUCCH_CoMP（第２の値）を送信していない基地局装置３、または、仮想セルアイデンティティの値を送信していない基地局装置３とも称する。
【０１４２】
また、N(1)PUCCH_CoMP（第２の値）を示す情報を仮想セルアイデンティティの値を示す情報と共に送信および受信することを、単に、N(1)PUCCH_CoMP（第２の値）を示す情報を送信および受信する、または、仮想セルアイデンティティの値を示す情報を送信および受信する、と表現する。
【０１４３】
移動局装置１は、ＰＤＳＣＨのスケジューリングに用いられる下りリンク制御情報をＰＤＣＣＨ、および、ｅＰＤＣＣＨで受信する（ステップＳ１３０２）。移動局装置１は、当該下りリンク制御情報に基づいて、当該下りリンク制御情報を受信したサブフレームのＰＤＳＣＨでトランスポートブロックを受信する（ステップＳ１３０４）。移動局装置１は、N(1)PUCCH_CoMP（第２の値）を示す情報を受信しているかどうか、および、ＰＤＣＣＨとｅＰＤＣＣＨのどちらで下りリンク制御情報を受信したかを判断する（ステップＳ１３０６）。
【０１４４】
移動局装置１は、N(1)PUCCH_CoMP（第２の値）を示す情報を受信していない、そして、ＰＤＣＣＨで下りリンク制御情報を受信した場合に、少なくともN(1)PUCCH（第１の値）に基づいてＰＵＣＣＨリソースを決定する（ステップＳ１３０８）。
【０１４５】
移動局装置１は、N(1)PUCCH_CoMP（第２の値）を示す情報を受信している、そして、ＰＤＣＣＨで下りリンク制御情報を受信した場合に、少なくともN(1)PUCCH_CoMP（第２の値）に基づいてＰＵＣＣＨリソースを決定する（ステップＳ１３１０）。
【０１４６】
移動局装置１は、N(1)PUCCH_CoMP（第２の値）を示す情報を受信していない、そして、ｅＰＤＣＣＨで下りリンク制御情報を受信した場合に、少なくともN(1)PUCCH（第１の値）とｅＰＤＣＣＨを受信したｅＰＤＣＣＨセットｉに対応するN(1)ePDCCH(i)（第３の値）とに基づいてＰＵＣＣＨリソースを決定する（ステップＳ１３１２）。
【０１４７】
移動局装置１は、N(1)PUCCH_CoMP（第２の値）を示す情報を示す情報を受信している、そして、ｅＰＤＣＣＨで下りリンク制御情報を受信した場合に、少なくともN(1)PUCCH_CoMP（第２の値）とｅＰＤＣＣＨを受信したｅＰＤＣＣＨセットｉに対応するN(1)ePDCCH(i)（第３の値）とに基づいてＰＵＣＣＨリソースを決定する（ステップＳ１３１４）。
【０１４８】
移動局装置１は、決定したＰＵＣＣＨリソースで、トランスポートブロックに対するＨＡＲＱ−ＡＣＫを送信する（ステップＳ１３１６）。
【０１４９】
図１４は、第１の実施形態の基地局装置３の動作について説明するフロー図である。基地局装置３は、ｅＰＤＣＣＨセットｉのそれぞれを構成する物理リソースブロックを示す情報、仮想セルアイデンティティの値を示す情報、N(1)PUCCH（第１の値）を示す情報、N(1)PUCCH_CoMP（第２の値）を示す情報、および、ｅＰＤＣＣＨセットｉのそれぞれに対応するN(1)ePDCCH(i)（第３の値）を示す情報を移動局装置１に送信する（ステップＳ１４００）。尚、ステップＳ１４００において、基地局装置３は、ｅＰＤＣＣＨセットｉのそれぞれを構成する物理リソースブロックを示す情報、仮想セルアイデンティティの値を示す情報、N(1)PUCCH_CoMP（第２の値）を示す情報、および、ｅＰＤＣＣＨセットｉのそれぞれに対応するN(1)ePDCCH(i)（第３の値）を示す情報の一部、または、全部を移動局装置１に送信しなくてもよい。
【０１５０】
基地局装置３は、ＰＤＳＣＨのスケジューリングに用いられる下りリンク制御情報をＰＤＣＣＨ、および、ｅＰＤＣＣＨで移動局装置１に送信する（ステップＳ１４０２）。基地局装置３は、当該下りリンク制御情報を送信したサブフレームのＰＤＳＣＨでトランスポートブロックを移動局装置１に送信する（ステップＳ１４０４）。基地局装置３は、N(1)PUCCH_CoMP（第２の値）を示す情報を示す情報を送信しているかどうか、および、ＰＤＣＣＨとｅＰＤＣＣＨのどちらで下りリンク制御情報を送信したかを判断する（ステップＳ１４０６）。
【０１５１】
基地局装置３は、N(1)PUCCH_CoMP（第２の値）を示す情報を示す情報を送信していない、そして、ＰＤＣＣＨで下りリンク制御情報を送信した場合に、少なくともN(1)PUCCH（第１の値）に基づいてＰＵＣＣＨリソースを決定する（ステップＳ１４０８）。
【０１５２】
基地局装置３は、N(1)PUCCH_CoMP（第２の値）を示す情報を示す情報を送信している、そして、ＰＤＣＣＨで下りリンク制御情報を送信した場合に、少なくともN(1)PUCCH_CoMP（第２の値）に基づいてＰＵＣＣＨリソースを決定する（ステップＳ１４１０）。
【０１５３】
基地局装置３は、N(1)PUCCH_CoMP（第２の値）を示す情報を示す情報を送信していない、そして、ｅＰＤＣＣＨで下りリンク制御情報を送信した場合に、少なくともN(1)PUCCH（第１の値）とｅＰＤＣＣＨを送信したｅＰＤＣＣＨセットｉに対応するN(1)ePDCCH(i)（第３の値）とに基づいてＰＵＣＣＨリソースを決定する（ステップＳ１４１２）。
【０１５４】
基地局装置３は、N(1)PUCCH_CoMP（第２の値）を示す情報を示す情報を送信している、そして、ｅＰＤＣＣＨで下りリンク制御情報を送信した場合に、少なくともN(1)PUCCH_CoMP（第２の値）とｅＰＤＣＣＨを受信したｅＰＤＣＣＨセットｉに対応するN(1)ePDCCH(i)（第３の値）とに基づいてＰＵＣＣＨリソースを決定する（ステップＳ１４１４）。
【０１５５】
基地局装置３は、決定したＰＵＣＣＨリソースで、トランスポートブロックに対するＨＡＲＱ−ＡＣＫを受信する（ステップＳ１４１６）。
【０１５６】
以下、第１の実施形態の装置構成について説明する。
【０１５７】
図１５は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、ＰＵＣＣＨリソース決定部１０１３と設定部１０１５を含んで構成される。また、受信部１０５は、復号化部１０５１、復調部１０５３、多重分離部１０５５、無線受信部１０５７、チャネル測定部１０５９と検出部１０６１とを含んで構成される。また、送信部１０７は、符号化部１０７１、変調部１０７３、多重部１０７５、無線送信部１０７７と上りリンク参照信号生成部１０７９とを含んで構成される。
【０１５８】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、無線リソース制御部１０１１は、上りリンクの各チャネルに配置される情報を生成し、送信部１０７に出力する。
【０１５９】
上位層処理部１０１が備えるＰＵＣＣＨリソース決定部１０１３は、上りリンク制御情報を送信するために用いられるＰＵＣＣＨリソースを決定する。
【０１６０】
上位層処理部１０１が備える設定部１０１５は、自装置の各種設定情報の管理をする。例えば、設定部１０１５は、基地局装置３から受信したシグナリングに応じて、各種設定を行なう。
【０１６１】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１６２】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１６３】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１６４】
多重分離部１０５５は、抽出した信号をＰＨＩＣＨ、ＰＤＣＣＨ、ｅＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ｅＰＤＣＣＨ、およびＰＤＳＣＨの伝搬路の補償を行なう。また、多重分離部１０５５は、分離した下りリンク参照信号をチャネル測定部１０５９に出力する。
【０１６５】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。
【０１６６】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１６７】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１６８】
検出部１０６１は、ＰＤＣＣＨおよび／またはｅＰＤＣＣＨで下りリンク制御情報の検出を行い、そして、検出した下りリンク制御情報を上位層処理部１０１に出力する。検出部１０６１は、ＰＤＣＣＨおよび／またはｅＰＤＣＣＨに対して、ＱＰＳＫ変調方式の復調および復号を行なう。検出部１０６１は、ＰＤＣＣＨおよび／またはｅＰＤＣＣＨのブラインドデコーディングを試み、ブラインドデコーディングに成功した場合、下りリンク制御情報を上位層処理部１０１に出力する。
【０１６９】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１７０】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１７１】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。変調部１０７３は、サイクリックシフト、および／または、直交系列を用いてＰＵＣＣＨを拡散する。
【０１７２】
上りリンク参照信号生成部１０７９は、基地局装置３を識別するための物理レイヤセルアイデンティティ（physical layer cell identity: PCI）または仮想セルアイデンティティなどを基に、参照信号の系列を生成する。
【０１７３】
多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１７４】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１７５】
図１６は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３とＰＵＣＣＨリソース決定部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１７６】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１７７】
上位層処理部３０１が備える無線リソース制御部３０１１は、下りリンクのＰＤＳＣＨに配置される下りリンクデータ（トランスポートブロック）、システムインフォメーションブロック、ＲＲＣシグナル、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【０１７８】
上位層処理部３０１が備えるスケジューリング部３０１３は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報を生成し、制御部３０３に出力する。また、スケジューリング部３０１３は、物理チャネル（ＰＤＳＣＨおよびＰＵＳＣＨ）のスケジューリング結果を制御情報生成部３０１５へ出力する。
【０１７９】
上位層処理部３０１が備えるＰＵＣＣＨリソース決定部３０１５は、上りリンク制御情報の受信のために用いられるＰＵＣＣＨリソースを決定する。
【０１８０】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１８１】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１８２】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１８３】
多重分離部３０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１８４】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１８５】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０５９は、多重分離部３０５５から入力された上りリンク参照信号から伝搬路の推定値、チャネルの品質などを測定し、多重分離部３０５５および上位層処理部３０１に出力する。
【０１８６】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ｅＰＤＣＣＨ、ＰＤＳＣＨ、および下りリンク参照信号を多重して、送受信アンテナ３０９を介して移動局装置１に信号を送信する。
【０１８７】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１８８】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１８９】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１９０】
以下、第１の実施形態の移動局装置１を構成する受信部１０５、検出部１０６１、ＰＵＣＣＨリソース決定部１０１３、設定部１０１５、送信部１０７、および、上りリンク参照信号生成部１０７９の詳細な動作について説明する。
【０１９１】
設定部１０１５は、基地局装置から受信したシグナリングに基づいて、ＰＵＣＣＨに対する仮想セルアイデンティティの値、第１の値、第２の値、および第３の値を設定する。検出部１０６１は、ＰＤＣＣＨまたはｅＰＤＣＣＨで、ＰＤＳＣＨのスケジューリングに用いられる下りリンク制御情報を検出する。受信部１０５は、前記ＰＤＳＣＨでトランスポートブロックを受信する。
【０１９２】
ＰＵＣＣＨリソース決定部１０１３は、検出部１０６１が前記下りリンク制御情報を前記ＰＤＣＣＨで検出した場合、前記ＰＵＣＣＨに対する仮想セルアイデンティティの値が前記設定部１０１５によって設定されているか否かに応じて前記第１の値と前記第２の値のいずれかを選択し、そして、少なくとも当該選択した値に基づいて前記ＰＵＣＣＨリソースを決定する。
【０１９３】
また、ＰＵＣＣＨリソース決定部１０１３は、前記検出部１０６１が前記下りリンク制御情報を前記ｅＰＤＣＣＨで検出した場合、前記ＰＵＣＣＨに対する仮想セルアイデンティティの値が前記設定部１０１５によって設定されているか否かに応じて、前記第１の値と前記第２の値のいずれかを選択し、そして、少なくとも当該選択した値と前記第３の値とに基づいて前記ＰＵＣＣＨリソースを決定する。送信部１０７は、前記トランスポートブロックに対するＨＡＲＱ−ＡＣＫを前記ＰＵＣＣＨリソースで送信する。
【０１９４】
上りリンク参照信号生成部１０７９は、前記ＰＵＣＣＨに対する仮想セルアイデンティティの値を受信している場合は、前記ＰＵＣＣＨに対する仮想セルアイデンティティの値に基づいて、前記ＰＵＣＣＨと時間多重されるＤＭＲＳ（参照信号）を生成する。また、上りリンク参照信号生成部１０７９は、前記ＰＵＣＣＨに対する仮想セルアイデンティティの値を受信していない場合は、物理レイヤセルアイデンティティに基づいて、ＤＭＲＳ(前記参照信号）を生成する。前記送信部１０７は、前記参照信号を送信する。
【０１９５】
以下、第１の実施形態の基地局装置３を構成する受信部３０５、ＰＵＣＣＨリソース決定部３０１５、および、送信部３０７の詳細な動作について説明する。
【０１９６】
送信部３０７は、ＰＵＣＣＨに対する仮想セルアイデンティティの値、第１の値、第２の値、および第３の値を示す情報を送信し、ＰＤＣＣＨまたはｅＰＤＣＣＨで、ＰＤＳＣＨのスケジューリングに用いられる下りリンク制御情報を送信し、そして、前記ＰＤＳＣＨでトランスポートブロックを送信する。
【０１９７】
ＰＵＣＣＨリソース決定部３０１５は、前記送信部３０７が前記下りリンク制御情報を前記ＰＤＣＣＨで送信した場合、前記送信部３０７が前記ＰＵＣＣＨに対する仮想セルアイデンティティの値を示す情報を送信しているか否かに応じて、前記第１の値と前記第２の値のいずれかを選択し、そして、少なくとも当該選択した値に基づいて前記ＰＵＣＣＨリソースを決定する。
【０１９８】
ＰＵＣＣＨリソース決定部３０１５は、前記送信部３０７が前記下りリンク制御情報を前記ｅＰＤＣＣＨで送信した場合、前記送信部３０７が前記ＰＵＣＣＨに対する仮想セルアイデンティティの値を示す情報を送信しているか否かに応じて、前記第１の値と前記第２の値のいずれかを選択し、そして、少なくとも当該選択した値と前記第３の値とに基づいて前記ＰＵＣＣＨリソースを決定する。受信部３０５は、前記トランスポートブロックに対するＨＡＲＱ−ＡＣＫを前記ＰＵＣＣＨリソースで受信する。
【０１９９】
また、前記受信部３０５は、前記送信部３０７が前記ＰＵＣＣＨに対する仮想セルアイデンティティの値を送信している場合は、移動局装置１が前記ＰＵＣＣＨに対する仮想セルアイデンティティの値に基づいて生成するＤＭＲＳ（参照信号）を移動局装置１から受信し、そして、ＤＭＲＳ（前記参照信号）に基づいて前記ＰＵＣＣＨの復調処理を行う。
【０２００】
また、前記受信部３０５は、前記送信部３０７が前記ＰＵＣＣＨに対する仮想セルアイデンティティの値を送信していない場合は、移動局装置１が物理レイヤセルアイデンティティの値に基づいて生成するＤＭＲＳ（参照信号）を移動局装置１から受信し、そして、ＤＭＲＳ（前記参照信号）に基づいて前記ＰＵＣＣＨの復調処理を行う。
【０２０１】
これにより、移動局装置１は、ＰＤＳＣＨで送信されたトランスポートブロックに対するＨＡＲＱ−ＡＣＫを、ＰＵＣＣＨを用いて効率的に送信することができる。また、基地局装置３は、ＰＤＳＣＨで送信されたトランスポートブロックに対するＨＡＲＱ−ＡＣＫを、ＰＵＣＣＨを用いて効率的に受信することができる。
【０２０２】
以下、本発明の第２の実施形態について説明する。
【０２０３】
第２の実施形態の移動局装置１および基地局装置３は、数式（５）と（７）との代わりに数式（９）を用いてアンテナポートP0に対するＰＵＣＣＨリソースを決定し、そして、数式（６）と（８）との代わりに数式（１０）を用いてアンテナポートP1に対するＰＵＣＣＨリソースを決定する。
【０２０４】
【数９】
2014064088.tif 000011
【０２０５】
【数１０】
2014064088.tif 000012
【０２０６】
つまり、第２の実施形態の移動局装置１および基地局装置３は、数式（１）から（４）、および、（９）と（１０）を用いてＰＵＣＣＨリソースを決定する。数式（５）から（８）ではN(1)PUCCH（第１の値）またはN(1)PUCCH_CoMP（第２の値）が用いられるが、数式（９）と（１０）とではN(1)PUCCH（第１の値）またはN(1)PUCCH_CoMP（第２の値）は用いられない。これにより、移動局装置１および基地局装置の構成を簡略化することができる。
【０２０７】
図１７は、第２の実施形態のアンテナポートp0に対するＰＵＣＣＨリソースとＣＣＥ／ｅＣＣＥとの対応を示す図である。図１７において、ｍはＰＵＣＣＨリソースの物理リソースブロックを識別するための番号である。図１７において、符号１２００はＰＵＣＣＨリソースの番号を示す。
【０２０８】
図１７において、基地局装置３は、３５までのＣＣＥとｅＰＤＣＣＨセット１に対する１６までのｅＣＣＥとｅＰＤＣＣＨセット２に対する８までのｅＣＣＥを送信できることを想定する。図１７において、N(1)PUCCH（第１の値）は０であり、N(1)PUCCH_CoMP（第２の値）は７２である。
【０２０９】
図１７において、基地局装置３は、移動局装置１に仮想セルアイデンティティの値を示す情報を送信しているか否かに応じて、ｅＰＤＣＣＨセット１に対応するN(1)ePDCCH(1)（第３の値）とｅＰＤＣＣＨセット２に対応するN(1)ePDCCH(2)（第３の値）の値を決定する。図１７において、基地局装置３は、仮想セルアイデンティティの値を示す情報を送信していない移動局装置１に対して、ｅＰＤＣＣＨセット１に対応するN(1)ePDCCH(1)（第３の値）を３４と決定し、ｅＰＤＣＣＨセット２に対応するN(1)ePDCCH(2)（第３の値）の値を５０と決定する。また、図１７において、基地局装置３は、仮想セルアイデンティティの値を示す情報を送信している移動局装置１に対して、ｅＰＤＣＣＨセット１に対応するN(1)ePDCCH(1)（第３の値）を１０６と決定し、ｅＰＤＣＣＨセット２に対応するN(1)ePDCCH(2)（第３の値）の値を１２２と決定する。
【０２１０】
図１７において、符号１２０２は、移動局装置１が仮想セルアイデンティティの値を受信していない、そして、ＰＤＳＣＨのスケジューリングに用いられる下りリンク制御情報をＰＤＣＣＨで受信した場合に、移動局装置１がＨＡＲＱ−ＡＣＫの送信に用いる可能性のあるＰＵＣＣＨリソースを示す。つまり、符号１２０２は、図１７において数式（１）が出力するＰＵＣＣＨリソースの番号の範囲である。
【０２１１】
図１７において、符号１２０８は、移動局装置１が仮想セルアイデンティティの値を受信している、そして、ＰＤＳＣＨのスケジューリングに用いられる下りリンク制御情報をＰＤＣＣＨで受信した場合に、移動局装置１がＨＡＲＱ−ＡＣＫの送信に用いる可能性のあるＰＵＣＣＨリソースを示す。つまり、符号１２０８は、図１７において数式（３）が出力するＰＵＣＣＨリソースの番号の範囲である。
【０２１２】
図１７において、符号１２０４は、移動局装置１が仮想セルアイデンティティの値を受信していない、そして、ＰＤＳＣＨのスケジューリングに用いられる下りリンク制御情報をｅＰＤＣＣＨセット１のｅＰＤＣＣＨで受信した場合に、移動局装置１がＨＡＲＱ−ＡＣＫの送信に用いる可能性のあるＰＵＣＣＨリソースを示す。
【０２１３】
図１７において、符号１２０６は、移動局装置１が仮想セルアイデンティティの値を受信していない、そして、ＰＤＳＣＨのスケジューリングに用いられる下りリンク制御情報をｅＰＤＣＣＨセット２のｅＰＤＣＣＨで受信した場合に、移動局装置１がＨＡＲＱ−ＡＣＫの送信に用いる可能性のあるＰＵＣＣＨリソースを示す。
【０２１４】
図１７において、符号１２１０は、移動局装置１が仮想セルアイデンティティの値を受信している、そして、ＰＤＳＣＨのスケジューリングに用いられる下りリンク制御情報をｅＰＤＣＣＨセット１のｅＰＤＣＣＨで受信した場合に、移動局装置１がＨＡＲＱ−ＡＣＫの送信に用いる可能性のあるＰＵＣＣＨリソースを示す。
【０２１５】
図１７において、符号１２１２は、移動局装置１が仮想セルアイデンティティの値を受信している、そして、ＰＤＳＣＨのスケジューリングに用いられる下りリンク制御情報をｅＰＤＣＣＨセット２のｅＰＤＣＣＨで受信した場合に、移動局装置１がＨＡＲＱ−ＡＣＫの送信に用いる可能性のあるＰＵＣＣＨリソースを示す。つまり、符号１２０４、符号１２０６、符号１２１０、および、符号１２１２は、図１７において数式（９）が出力するＰＵＣＣＨリソースの番号の範囲である。
【０２１６】
結果として、図１７において、仮想セルアイデンティティの値を受信していない移動局装置１はｍが０または１に対応するＰＵＣＣＨリソースでＨＡＲＱ−ＡＣＫを送信し、仮想セルアイデンティティの値を受信している移動局装置１はｍが１または２に対応するＰＵＣＣＨリソースでＨＡＲＱ−ＡＣＫを送信する。つまり、仮想セルアイデンティティの値を受信していない移動局装置１と仮想セルアイデンティティの値を受信している移動局装置１とのそれぞれは、異なる物理リソースブロックでＰＵＣＣＨを送信するため、互いのＰＵＣＣＨの信号が干渉となることを避けることができる。また、ＣＣＥおよびＰＤＣＣＨセットｉに対するｅＣＣＥの同じインデックスが、異なるインデックスのＰＵＣＣＨリソースに対応するため、ＰＵＣＣＨリソースの衝突を避けることができる。
【０２１７】
このように、第２の実施形態でも、第１の実施形態と同様の効果を得ることができる。
【０２１８】
以下、第２の実施形態の移動局装置１と基地局装置３の動作についてフロー図を用いて説明する。
【０２１９】
図１８は、第２の実施形態の移動局装置１の動作について説明するフロー図である。移動局装置１は、ｅＰＤＣＣＨセットｉのそれぞれを構成する物理リソースブロックを示す情報、仮想セルアイデンティティの値を示す情報、N(1)PUCCH（第１の値）を示す情報、N(1)PUCCH_CoMP（第２の値）を示す情報、および、ｅＰＤＣＣＨセットｉのそれぞれに対応するN(1)ePDCCH(i)（第３の値）を示す情報を受信する（ステップＳ１８００）。尚、ステップＳ１８００において、移動局装置１は、ｅＰＤＣＣＨセットｉのそれぞれを構成する物理リソースブロックを示す情報、仮想セルアイデンティティの値を示す情報、N(1)PUCCH_CoMP（第２の値）を示す情報、および、ｅＰＤＣＣＨセットｉのそれぞれに対応するN(1)ePDCCH(i)（第３の値）を示す情報の一部、または、全部を受信しなくてもよい。
【０２２０】
尚、ＰＤＣＣＨセットｉに対応するN(1)ePDCCH(i)（第３の値）を示す情報は、ｅＰＤＣＣＨセットｉを構成する物理リソースブロックを示す情報と共に送信および受信される。また、N(1)PUCCH_CoMP（第２の値）を示す情報は、仮想セルアイデンティティの値を示す情報と共に送信および受信される。
【０２２１】
移動局装置１は、ＰＤＳＣＨのスケジューリングに用いられる下りリンク制御情報をＰＤＣＣＨ、および、ｅＰＤＣＣＨで受信する（ステップＳ１８０２）。移動局装置１は、当該下りリンク制御情報に基づいて、当該下りリンク制御情報を受信したサブフレームのＰＤＳＣＨでトランスポートブロックを受信する（ステップＳ１８０４）。移動局装置１は、N(1)PUCCH_CoMP（第２の値）を示す情報を受信しているかどうか、および、ＰＤＣＣＨとｅＰＤＣＣＨのどちらで下りリンク制御情報を受信したかを判断する（ステップＳ１８０６）。
【０２２２】
移動局装置１は、N(1)PUCCH_CoMP（第２の値）を示す情報を受信していない、そして、ＰＤＣＣＨで下りリンク制御情報を受信した場合に、少なくともN(1)PUCCH（第１の値）に基づいてＰＵＣＣＨリソースを決定する（ステップＳ１８０８）。
【０２２３】
移動局装置１は、N(1)PUCCH_CoMP（第２の値）を示す情報を受信している、そして、ＰＤＣＣＨで下りリンク制御情報を受信した場合に、少なくともN(1)PUCCH_CoMP（第２の値）に基づいてＰＵＣＣＨリソースを決定する（ステップＳ１８１０）。
【０２２４】
移動局装置１は、N(1)PUCCH_CoMP（第２の値）を示す情報を示す情報を受信しているかどうかにかかわらず、ｅＰＤＣＣＨで下りリンク制御情報を受信した場合に、少なくともN(1)ePDCCH(i)（第３の値）に基づいてＰＵＣＣＨリソースを決定する（ステップＳ１８１２）。
【０２２５】
移動局装置１は、決定したＰＵＣＣＨリソースで、トランスポートブロックに対するＨＡＲＱ−ＡＣＫを送信する（ステップＳ１３１４）。
【０２２６】
図１９は、第２の実施形態の基地局装置３の動作について説明するフロー図である。基地局装置３は、ｅＰＤＣＣＨセットｉのそれぞれを構成する物理リソースブロックを示す情報、仮想セルアイデンティティの値を示す情報、N(1)PUCCH（第１の値）を示す情報、N(1)PUCCH_CoMP（第２の値）を示す情報、および、ｅＰＤＣＣＨセットｉのそれぞれに対応するN(1)ePDCCH(i)（第３の値）を示す情報を移動局装置１に送信する（ステップＳ１９００）。尚、ステップＳ１９００において、基地局装置３は、ｅＰＤＣＣＨセットｉのそれぞれを構成する物理リソースブロックを示す情報、仮想セルアイデンティティの値を示す情報、N(1)PUCCH_CoMP（第２の値）を示す情報、および、ｅＰＤＣＣＨセットｉのそれぞれに対応するN(1)ePDCCH(i)（第３の値）を示す情報の一部、または、全部を移動局装置１に送信しなくてもよい。
【０２２７】
基地局装置３は、ＰＤＳＣＨのスケジューリングに用いられる下りリンク制御情報をＰＤＣＣＨ、および、ｅＰＤＣＣＨで移動局装置１に送信する（ステップＳ１９０２）。基地局装置３は、当該下りリンク制御情報を送信したサブフレームのＰＤＳＣＨでトランスポートブロックを移動局装置１に送信する（ステップＳ１９０４）。基地局装置３は、N(1)PUCCH_CoMP（第２の値）を示す情報を示す情報を送信しているかどうか、および、ＰＤＣＣＨとｅＰＤＣＣＨのどちらで下りリンク制御情報を送信したかを判断する（ステップＳ１９０６）。
【０２２８】
基地局装置３は、N(1)PUCCH_CoMP（第２の値）を示す情報を示す情報を送信していない、そして、ＰＤＣＣＨで下りリンク制御情報を送信した場合に、少なくともN(1)PUCCH（第１の値）に基づいてＰＵＣＣＨリソースを決定する（ステップＳ１９０８）。
【０２２９】
基地局装置３は、N(1)PUCCH_CoMP（第２の値）を示す情報を示す情報を送信している、そして、ＰＤＣＣＨで下りリンク制御情報を送信した場合に、少なくともN(1)PUCCH_CoMP（第２の値）に基づいてＰＵＣＣＨリソースを決定する（ステップＳ１９１０）。
【０２３０】
基地局装置３は、N(1)PUCCH_CoMP（第２の値）を示す情報を示す情報を送信しているかどうかにかかわらず、ｅＰＤＣＣＨで下りリンク制御情報を送信した場合に、ｅＰＤＣＣＨを送信したｅＰＤＣＣＨセットｉに対応するN(1)ePDCCH(i)（第３の値）に基づいてＰＵＣＣＨリソースを決定する（ステップＳ１９１２）。
【０２３１】
基地局装置３は、決定したＰＵＣＣＨリソースで、トランスポートブロックに対するＨＡＲＱ−ＡＣＫを受信する（ステップＳ１９１２）。
【０２３２】
以下、第２の実施形態の装置構成について説明する。
【０２３３】
第２の実施形態の移動局装置１と基地局装置３との構成は、第１の実施形態の図１５および図１６と同じであるため、新たに図示しない。
【０２３４】
第２の実施形態の移動局装置１および基地局装置３の機能および機能ブロックのうち、第２の実施形態で説明しないものは、第１の実施形態の移動局装置１および基地局装置３の機能および機能ブロックと同じである。
【０２３５】
以下、第２の実施形態の移動局装置１を構成する受信部１０５、検出部１０６１、ＰＵＣＣＨリソース決定部１０１３、設定部１０１５、および、送信部１０７の詳細な動作について説明する。
【０２３６】
設定部１０１５は、基地局装置から受信したシグナリングに基づいて、ＰＵＣＣＨに対する仮想セルアイデンティティの値、第１の値、第２の値、および第３の値を設定する。検出部１０６１は、ＰＤＣＣＨまたはｅＰＤＣＣＨで、ＰＤＳＣＨのスケジューリングに用いられる下りリンク制御情報を検出する。受信部１０５は、前記ＰＤＳＣＨでトランスポートブロックを受信する。
【０２３７】
ＰＵＣＣＨリソース決定部１０１３は、検出部１０６１が前記下りリンク制御情報を前記ＰＤＣＣＨで検出した場合、前記ＰＵＣＣＨに対する仮想セルアイデンティティの値が前記設定部１０１５によって設定されているか否かに応じて前記第１の値と前記第２の値のいずれかを選択し、そして、少なくとも当該選択した値に基づいて前記ＰＵＣＣＨリソースを決定する。また、ＰＵＣＣＨリソース決定部１０１３は、前記検出部１０６１が前記下りリンク制御情報を前記ｅＰＤＣＣＨで検出した場合、前記ＰＵＣＣＨに対する仮想セルアイデンティティの値が前記設定部１０１５によって設定されているか否かにかかわらず、少なくとも前記第３の値に基づいて前記ＰＵＣＣＨリソースを決定する。送信部１０７は、前記トランスポートブロックに対するＨＡＲＱ−ＡＣＫを前記ＰＵＣＣＨリソースで送信する。
【０２３８】
以下、第２の実施形態の基地局装置３を構成する受信部３０５、ＰＵＣＣＨリソース決定部３０１５、および、送信部３０７の詳細な動作について説明する。
【０２３９】
送信部３０７は、ＰＵＣＣＨに対する仮想セルアイデンティティの値、第１の値、第２の値、および第３の値を示す情報を送信し、ＰＤＣＣＨまたはｅＰＤＣＣＨで、ＰＤＳＣＨのスケジューリングに用いられる下りリンク制御情報を送信し、そして、前記ＰＤＳＣＨでトランスポートブロックを送信する。
【０２４０】
ＰＵＣＣＨリソース決定部３０１５は、前記送信部３０７が前記下りリンク制御情報を前記ＰＤＣＣＨで送信した場合、前記送信部３０７が前記ＰＵＣＣＨに対する仮想セルアイデンティティの値を示す情報を送信しているか否かに応じて前記第１の値と前記第２の値のいずれかを選択し、そして、少なくとも当該選択した値に基づいて前記ＰＵＣＣＨリソースを決定する。ＰＵＣＣＨリソース決定部３０１５は、前記送信部３０７が前記下りリンク制御情報を前記ｅＰＤＣＣＨで送信した場合、前記送信部３０７が前記ＰＵＣＣＨに対する仮想セルアイデンティティの値を示す情報を送信しているか否かにかかわらず、少なくとも前記第３の値に基づいて前記ＰＵＣＣＨリソースを決定する。受信部３０５は、前記トランスポートブロックに対するＨＡＲＱ−ＡＣＫを前記ＰＵＣＣＨリソースで受信する。
【０２４１】
これにより、移動局装置１は、ＰＤＳＣＨで送信されたトランスポートブロックに対するＨＡＲＱ−ＡＣＫを、ＰＵＣＣＨを用いて効率的に送信することができる。また、基地局装置３は、ＰＤＳＣＨで送信されたトランスポートブロックに対するＨＡＲＱ−ＡＣＫを、ＰＵＣＣＨを用いて効率的に受信することができる。
【０２４２】
なお、上述した実施形態では、移動局装置１と基地局装置３とが、数式（５）から数式（１０）に基づいてＰＵＣＣＨリソースを決定するが、本願発明は、これに限定されるものではない。移動局装置１と基地局装置３とは、ＰＵＣＣＨリソースを決定するために、少なくともｅＣＣＥのインデックスと第３の値とによって定義される他の式を用いてもよい。例えば、数式（５）から数式（１０）の各々の右辺に、さらに他のパラメータ（オフセット値）を加算（あるいは減算）するような式を用いることもできる。
【０２４３】
ここで、他のパラメータとしては、ＰＤＳＣＨのスケジューリングに用いられる下りリンク制御情報（ＤＣＩフォーマット）に含まれる所定の情報ビットによって指定されるオフセット値、ＰＤＳＣＨのスケジューリングに用いられる下りリンク制御情報が配置されるｅＰＤＣＣＨの送信に用いられるアンテナポートの番号に基づいて算出される値、ユーザに振られた番号（ＲＮＴＩ：Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ：Ｃｅｌｌ−Ｒａｄｉｏ  Ｎｅｔｗｏｒｋ  Ｔｅｍｐｏｒａｒｙ  Ｉｄｅｎｔｉｆｉｅｒ）に基づいて算出される値、あるいはＰＤＳＣＨのスケジューリングに用いられる下りリンク制御情報が配置されるｅＰＤＣＣＨの送信に用いられるアンテナポートの番号およびユーザに振られた番号に基づいて算出される値など、およびこれらの組み合わせを用いることができる。
【０２４４】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２４５】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２４６】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２４７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２４８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０２４９】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２５０】
また、上述した実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２５１】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２５２】
１（１Ａ、１Ｂ、１Ｃ）  移動局装置
３  基地局装置
１０１  上位層処理部
１０３  制御部
１０５  受信部
１０７  送信部
１０９  送受信アンテナ
１０１１  無線リソース制御部
１０１３  ＰＵＣＣＨリソース決定部
１０１５  設定部
１０５１  復号化部
１０５３  復調部
１０５５  多重分離部
１０５７  無線受信部
１０５９  チャネル測定部
１０６１  検出部
１０７１  符号化部
１０７３  変調部
１０７５  多重部
１０７７  無線送信部
１０７９  上りリンク参照信号生成部
３０１  上位層処理部
３０３  制御部
３０５  受信部
３０７  送信部
３０９  送受信アンテナ
３０１１  無線リソース制御部
３０１３  スケジューリング部
３０１５  ＰＵＣＣＨリソース決定部
３０５１  復号化部
３０５３  復調部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
【図１】
2014064088.tif 000013
【図２】
2014064088.tif 000014
【図３】
2014064088.tif 000015
【図４】
2014064088.tif 000016
【図５】
2014064088.tif 000017
【図６】
2014064088.tif 000018
【図７】
2014064088.tif 000019
【図８】
2014064088.tif 000020
【図９】
2014064088.tif 000021
【図１０】
2014064088.tif 000022
【図１１】
2014064088.tif 000023
【図１２】
2014064088.tif 000024
【図１３】
2014064088.tif 000025
【図１４】
2014064088.tif 000026
【図１５】
2014064088.tif 000027
【図１６】
2014064088.tif 000028
【図１７】
2014064088.tif 000029
【図１８】
2014064088.tif 000030
【図１９】
2014064088.tif 000031